(57)【特許請求の範囲】
【請求項１】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、
前記第１のシート片に、前記第１のシート片を前記はみ出し部分の側と前記第１の折り曲げ線の側とに分断するための１本又は複数本のミシン目が形成され、
当該折り畳みラベルの折り畳み状態において前記第１のシート片の一部を当該折り畳みラベルの前記他方の面側に露出させる孔が、前記シートの所定箇所に形成され、
前記第１のシート片における前記孔に対応する領域に、剥離剤が形成された、
ことを特徴とする折り畳みラベル。
【請求項２】
表裏の所定箇所に表示内容が記載された１枚のシートのみを用い当該シートを折り畳んで構成されかつ当該シートのいずれの箇所同士も接着されることなく構成された折り畳みラベルであって、
２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記３つ以上のシート片のうちの第３のシート片が、 前記２本以上の折り曲げ線のうちの第２の折り曲げ線を介して前記第１のシート片と隣り合って連続し、
前記第１及び第２の折り曲げ線は、前記第１のシート片の互いに反対の側に位置し、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出したはみ出し部分をなす第３のシート片の一部が現れ、
前記第１のシート片に、前記第１のシート片を前記第１の折り曲げ線の側と前記第２の折り曲げ線の側とに分断するための１本又は複数本のミシン目が形成され、
当該折り畳みラベルの折り畳み状態において前記第１のシート片の一部を当該折り畳みラベルの前記他方の面側に露出させる孔が、前記シートの所定箇所に形成され、
前記第１のシート片における前記孔に対応する領域に、剥離剤が形成された、
ことを特徴とする折り畳みラベル。
【請求項３】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、
前記はみ出し部分の、当該折り畳みラベルの前記他方の面側に、剥離剤が形成され、
当該折り畳みラベルの折り畳み状態において前記第１のシート片の一部を当該折り畳みラベルの前記他方の面側に露出させる孔が、前記シートの所定箇所に形成され、
前記第１のシート片における前記孔に対応する領域に、剥離剤が形成された、
ことを特徴とする折り畳みラベル。
【請求項４】
表裏の所定箇所に表示内容が記載された１枚のシートのみを用い当該シートを折り畳んで構成されかつ当該シートのいずれの箇所同士も接着されることなく構成された折り畳みラベルであって、
２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記３つ以上のシート片のうちの第３のシート片が、 前記２本以上の折り曲げ線のうちの第２の折り曲げ線を介して前記第１のシート片と隣り合って連続し、
前記第１及び第２の折り曲げ線は、前記第１のシート片の互いに反対の側に位置し、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出したはみ出し部分をなす第３のシート片の一部が現れ、
前記はみ出し部分の、当該折り畳みラベルの前記他方の面側に、剥離剤が形成され、
当該折り畳みラベルの折り畳み状態において前記第１のシート片の一部を当該折り畳みラベルの前記他方の面側に露出させる孔が、前記シートの所定箇所に形成され、
前記第１のシート片における前記孔に対応する領域に、剥離剤が形成された、
ことを特徴とする折り畳みラベル。
【請求項５】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、
前記第１のシート片に、前記第１のシート片を前記第１のはみ出し部分の側と前記第１の折り曲げ線の側とに分断するための１本又は複数本のミシン目が形成され、
前記第２のはみ出し部分の、当該折り畳みラベルの前記他方の面側に、剥離剤が形成された、
ことを特徴とする折り畳みラベル。
【請求項６】
表裏の所定箇所に表示内容が記載された１枚のシートのみを用い当該シートを折り畳んで構成されかつ当該シートのいずれの箇所同士も接着されることなく構成された折り畳みラベルであって、
２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記３つ以上のシート片のうちの第３のシート片が、 前記２本以上の折り曲げ線のうちの第２の折り曲げ線を介して前記第１のシート片と隣り合って連続し、
前記第１及び第２の折り曲げ線は、前記第１のシート片の互いに反対の側に位置し、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出した第１のはみ出し部分をなす第３のシート片の一部、及び、前記第２のシート片から前記第１の折り曲げ線が延びる方向の少なくとも一方側にはみ出した第２のはみ出し部分をなす前記第１のシート片の一部が現れ、
前記第１のシート片に、前記第１のシート片を前記第１の折り曲げ線の側と前記第２の折り曲げ線の側とに分断するための１本又は複数本のミシン目が形成され、
前記第２のはみ出し部分の、当該折り畳みラベルの前記他方の面側に、剥離剤が形成された、
ことを特徴とする折り畳みラベル。
【請求項７】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、
前記第１のはみ出し部分の、当該折り畳みラベルの前記他方の面側に、剥離剤が形成され、
前記第２のはみ出し部分の、当該折り畳みラベルの前記他方の面側に、剥離剤が形成された、
ことを特徴とする折り畳みラベル。
【請求項８】
表裏の所定箇所に表示内容が記載された１枚のシートのみを用い当該シートを折り畳んで構成されかつ当該シートのいずれの箇所同士も接着されることなく構成された折り畳みラベルであって、
２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
前記３つ以上のシート片のうちの第３のシート片が、 前記２本以上の折り曲げ線のうちの第２の折り曲げ線を介して前記第１のシート片と隣り合って連続し、
前記第１及び第２の折り曲げ線は、前記第１のシート片の互いに反対の側に位置し、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出した第１のはみ出し部分をなす第３のシート片の一部、及び、前記第２のシート片から前記第１の折り曲げ線が延びる方向の少なくとも一方側にはみ出した第２のはみ出し部分をなす前記第１のシート片の一部が現れ、
前記第１のはみ出し部分の、当該折り畳みラベルの前記他方の面側に、剥離剤が形成され、
前記第２のはみ出し部分の、当該折り畳みラベルの前記他方の面側に、剥離剤が形成された、
ことを特徴とする折り畳みラベル。
【請求項９】
請求項１乃至８のいずれかに記載の折り畳みラベルが付着された物品であって、前記折り畳みラベルの前記はみ出し部分及び前記第２のシート片の、前記折り畳みラベルの前記他方の面側が、接着剤により前記物品に接着されたことを特徴とする折り畳みラベル付き物品。
【請求項１０】
請求項９記載の折り畳みラベル付き物品を製造する方法であって、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する、
ことを特徴とする折り畳みラベル付き物品の製造方法。
【請求項１１】
請求項１乃至８のいずれかに記載の折り畳みラベルが付着された物品であって、
前記折り畳みラベルは、前記折り畳みラベルの前記一方の面側を外側にするとともに前記第１の折り曲げ線を巻き付け開始端部として、前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着された、
ことを特徴とする折り畳みラベル付き物品。
【請求項１２】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、
前記第１のシート片に、前記第１のシート片を前記第１の折り曲げ線の側とその反対側とに分断するための複数本のミシン目が形成され、
前記複数本のミシン目は、前記第１のシート片に、切り取り可能な帯状の切り取り部を形成し、
前記切り取り部は、前記はみ出し部分の一部を含み、
前記はみ出し部分の、当該折り畳みラベルの前記他方の面側に、前記切り取り部の付近において剥離剤が形成され、
当該折り畳みラベルの折り畳み状態において前記第１のシート片の一部を当該折り畳みラベルの前記他方の面側に露出させる孔が、前記シートの所定箇所に形成され、
前記第１のシート片における前記孔に対応する領域に、剥離剤が形成された、
ことを特徴とする折り畳みラベル。
【請求項１３】
表裏の所定箇所に表示内容が記載された１枚のシートのみを用い当該シートを折り畳んで構成されかつ当該シートのいずれの箇所同士も接着されることなく構成された折り畳みラベルであって、
１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、
当該折り畳みラベルの前記一方の面側には、前記第１のシート片が現れ、
当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、
前記第１のシート片に、前記第１のシート片を前記第１の折り曲げ線の側とその反対側とに分断するための複数本のミシン目が形成され、
前記複数本のミシン目は、前記第１のシート片に、切り取り可能な帯状の切り取り部を形成し、
前記切り取り部は、前記第１のはみ出し部分の一部を含み、
前記第１のはみ出し部分の、当該折り畳みラベルの前記他方の面側に、前記切り取り部の付近において剥離剤が形成され、
前記第２のはみ出し部分の、当該折り畳みラベルの前記他方の面側に、剥離剤が形成された、
ことを特徴とする折り畳みラベル。
【請求項１４】
請求項１２又は１３記載の折り畳みラベルが付着された物品であって、
前記折り畳みラベルは、前記折り畳みラベルの前記一方の面側を外側にするとともに前記第１の折り曲げ線を巻き付け開始端部として前記物品の外周面に１周よりも多く巻き付けられ、
前記折り畳みラベルの前記第２のシート片の、前記折り畳みラベルの前記他方の面側の少なくとも一部が、接着剤により前記物品に接着され、
前記折り畳みラベルの前記はみ出し部分の、前記折り畳みラベルの前記他方の面側の一部が、これに対面する前記第１のシート片の、当該折り畳みラベルの前記一方の面側の一部に接着剤により接着され、
前記折り畳みラベルの前記はみ出し部分の、前記折り畳みラベルの前記他方の面側の他の一部が、これに対面する前記物品に接着剤により接着された、
ことを特徴とする折り畳みラベル付き物品。
【請求項１５】
請求項１４記載の折り畳みラベル付き物品を製造する方法であって、
前記折り畳みラベル及び前記折り畳みラベルを付着すべき物品を用意し、
前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、
前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により所定箇所に接着する、
ことを特徴とする折り畳みラベル付き物品の製造方法。
【発明の詳細な説明】
【技術分野】
【０００１】
本発明は、折り畳みラベル、折り畳みラベル付き物品及びその製造方法に関するものである。
【背景技術】
【０００２】
下記特許文献１に開示されている折り畳みラベルは、表裏の所定箇所に表示内容が記載された１枚のシートのみを用い当該シートを折り畳んで構成されかつ当該シートのいずれの箇所同士も接着されることなく構成された折り畳みラベルである。この折り畳みラベルでは、１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れる。当該折り畳みラベルの前記一方の面側には、前記第１のシート片のみが現れる。当該折り畳みラベルの前記他方の面側には、前記第２のシート片の他に、前記第２のシート片から前記第１の折り曲げ線の側とは反対の側にはみ出したはみ出し部分をなす前記第１のシート片の一部のみが現れる。前記第１のシート片に、前記第１のシート片を前記はみ出し部分の側と前記第１の折り曲げ線の側とに分断するための１本又は複数本のミシン目が形成されている。
【０００３】
この折り畳みラベルは、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【０００４】
下記特許文献１には、この折り畳みラベルが付着された物品であって、前記折り畳みラベルの前記はみ出し部分及び前記第２のシート片の、前記折り畳みラベルの前記他方の面側が、接着剤により前記物品に接着された折り畳みラベル付き物品も開示されている。
【０００５】
さらに、下記特許文献１には、この折り畳みラベル付き物品の製造方法も開示されている。この製造方法では、（i）前記折り畳みラベル及び前記折り畳みラベルを付着すべき物品を用意し、（ii）前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、（iii）前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着する。
【先行技術文献】
【特許文献】
【０００６】
【特許文献１】特開２００８−３３２６２号公報
【発明の概要】
【発明が解決しようとする課題】
【０００７】
しかしながら、前記従来の折り畳みラベルでは、物品に付着した場合、最も表側に位置する第１のシート片については、第１のシート片における前記はみ出し部分をなす一部が物品に接着されるのみであり、第１のシート片における前記はみ出し部分以外の部分は何ら他所に接着されない。
【０００８】
したがって、当該折り畳みラベルを付着する物品が高い剛性を有していなくて変形可能なものであると、その変形状態によっては、当該折り畳みラベルの展開前に、第１のシート片における前記はみ出し部分以外の部分が物品側から浮き上がってしまい、その部分の下側に隙間が生ずることが判明した。この場合、体裁が悪いとともに、前記隙間に何らかの部材等が引っ掛かってシート片を引きちぎってしまうおそれがあるなどの不都合が生ずる。
【０００９】
本発明は、このような事情に鑑みてなされたもので、シートのいずれの箇所同士も接着せずにすみコスト低減を図ることができるとともに、物品に付着された場合、当該物品が変形可能なものであっても、当該折り畳みラベルの展開前におけるシート片の物品側からの浮き上がりを低減することができる折り畳みラベル、これを用いた折り畳みラベル付き物品、及び、その折り畳みラベル付き物品の製造方法を提供することを目的とする。
【課題を解決するための手段】
【００１０】
前記課題を解決するための手段として、以下の各態様を提示する。第１の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、（iv）前記第１のシート片に、前記第１のシート片を前記はみ出し部分の側と前記第１の折り曲げ線の側とに分断するための１本又は複数本のミシン目が形成され、（v）当該折り畳みラベルの折り畳み状態において前記第１のシート片の一部を当該折り畳みラベルの前記他方の面側に露出させる孔が、前記シートの所定箇所に形成され、（vi）前記第１のシート片における前記孔に対応する領域に、剥離剤が形成されたものである。
【００１１】
前記（v）の「露出」は、前記（vi）の剥離剤が介在するので厳密な意味では露出とは言えないが、前記（vi）の剥離剤を形成しないと仮定すれば露出するという意味である。この点は、後述する各態様についても同様である。
【００１２】
前記複数本のミシン目は、帯状の切り取り部を画成してもよい。この点は、後述する各態様についても同様である。
【００１３】
また、前記ミシン目は、切断可能に切れ目が断続したパターンを意味しており、必ずしも単純な点線状のパターンに限定されるものではない。この点は、後述する各態様についても同様である。
【００１４】
この第１の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第１の態様では、前記（i）〜（iii）の要件を具備しているので、例えば、前記折り畳みラベルの前記はみ出し部分及び前記第２のシート片の、前記折り畳みラベルの前記他方の面側を前記物品に接着すると、各シート片は折り畳み状態に保持される。そして、消費者等が当該折り畳みラベルの全ての表示内容を見る場合には、前記（iv）の要件を具備しているので、そのミシン目に沿って切断することによって、当該ラベルを容易に展開することができる。
【００１５】
このように、この第１の態様による折り畳みラベルは、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００１６】
そして、この第１の態様では、前記（v）の要件を具備しているので、前記折り畳みラベルの前記他方の面側を前記物品に接着するとき、前記孔から当該折り畳みラベルの前記他方の面側に露出した第１のシート片の一部も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（vi）の要件を具備しているので、前記孔から当該折り畳みラベルの前記他方の面側に露出した第１のシート片の一部は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００１７】
なお、前記剥離剤は、接着剤による接着の際にその接着強度を弱めて剥離し易くするものをいい、例えば、いわゆる剥離ニス（例えば、大日本インキ化学工業株式会社製の「剥離ＯＰニス」）などを挙げることができる。前記剥離剤は、例えば、印刷等により形成しておくことができる。これらの点は、下記の各態様についても同様である。
【００１８】
第２の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）前記３つ以上のシート片のうちの第３のシート片が、 前記２本以上の折り曲げ線のうちの第２の折り曲げ線を介して前記第１のシート片と隣り合って連続し、（iii）前記第１及び第２の折り曲げ線は、前記第１のシート片の互いに反対の側に位置し、（iv）当該折り畳みラベルの前記一方の面側には、前記第１のシート片が現れ、（v）当該折り畳みラベルの前記他方の面側には、前記第２のシート片の他に、前記第２のシート片から前記第１の折り曲げ線の側とは反対の側にはみ出したはみ出し部分をなす第３のシート片の一部が現れ、（vi）前記第１のシート片に、前記第１のシート片を前記第１の折り曲げ線の側と前記第２の折り曲げ線の側とに分断するための１本又は複数本のミシン目が形成され、（vii）当該折り畳みラベルの折り畳み状態において前記第１のシート片の一部を当該折り畳みラベルの前記他方の面側に露出させる孔が、前記シートの所定箇所に形成され、（viii）前記第１のシート片における前記孔に対応する領域に、剥離剤が形成されたものである。
【００１９】
この第２の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第２の態様では、前記（i）〜（v）の要件を具備しているので、例えば、前記折り畳みラベルの前記はみ出し部分及び前記第２のシート片の、前記折り畳みラベルの前記他方の面側を前記物品に接着すると、各シート片は折り畳み状態に保持される。そして、消費者等が当該折り畳みラベルの全ての表示内容を見る場合には、前記（vi）の要件を具備しているので、そのミシン目に沿って切断することによって、当該ラベルを容易に展開することができる。
【００２０】
このように、この第２の態様による折り畳みラベルは、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００２１】
そして、この第２の態様では、前記（vii）の要件を具備しているので、前記折り畳みラベルの前記他方の面側を前記物品に接着するとき、前記孔から当該折り畳みラベルの前記他方の面側に露出した第１のシート片の一部も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（viii）の要件を具備しているので、前記孔から当該折り畳みラベルの前記他方の面側に露出した第１のシート片の一部は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００２２】
第３の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、（iv）前記はみ出し部分の、当該折り畳みラベルの前記他方の面側に、剥離剤が形成され、（v）当該折り畳みラベルの折り畳み状態において前記第１のシート片の一部を当該折り畳みラベルの前記他方の面側に露出させる孔が、前記シートの所定箇所に形成され、（vi）前記第１のシート片における前記孔に対応する領域に、剥離剤が形成されたものである。
【００２３】
この第３の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第３の態様では、前記（i）〜（iii）の要件を具備しているので、例えば、前記折り畳みラベルの前記はみ出し部分及び前記第２のシート片の、前記折り畳みラベルの前記他方の面側を前記物品に接着すると、各シート片は折り畳み状態に保持される。そして、前記（iv）の要件を具備しているので、前記折り畳みラベルの前記はみ出し部分は、剥離剤を介して接着剤によって前記物品に接着されることから、その接着強度は比較的弱くなる。したがって、前記折り畳みラベルの前記はみ出し部分を前記物品から比較的容易に剥がすことができ、消費者等が当該折り畳みラベルの全ての表示内容を見る場合には、前記はみ出し部分を前記物品から剥がすことによって、当該ラベルを容易に展開することができる。
【００２４】
このように、この第３の態様による折り畳みラベルは、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００２５】
そして、この第３の態様では、前記（v）の要件を具備しているので、前記折り畳みラベルの前記他方の面側を前記物品に接着するとき、前記孔から当該折り畳みラベルの前記他方の面側に露出した第１のシート片の一部も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（vi）の要件を具備しているので、前記孔から当該折り畳みラベルの前記他方の面側に露出した第１のシート片の一部は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００２６】
第４の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）前記３つ以上のシート片のうちの第３のシート片が、 前記２本以上の折り曲げ線のうちの第２の折り曲げ線を介して前記第１のシート片と隣り合って連続し、（iii）前記第１及び第２の折り曲げ線は、前記第１のシート片の互いに反対の側に位置し、（iv）当該折り畳みラベルの前記一方の面側には、前記第１のシート片が現れ、（v）当該折り畳みラベルの前記他方の面側には、前記第２のシート片の他に、前記第２のシート片から前記第１の折り曲げ線の側とは反対の側にはみ出したはみ出し部分をなす第３のシート片の一部が現れ、（vi）前記はみ出し部分の、当該折り畳みラベルの前記他方の面側に、剥離剤が形成され、（vii）当該折り畳みラベルの折り畳み状態において前記第１のシート片の一部を当該折り畳みラベルの前記他方の面側に露出させる孔が、前記シートの所定箇所に形成され、（viii）前記第１のシート片における前記孔に対応する領域に、剥離剤が形成されたものである。
【００２７】
この第４の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第４の態様では、前記（i）〜（v）の要件を具備しているので、例えば、前記折り畳みラベルの前記はみ出し部分及び前記第２のシート片の、前記折り畳みラベルの前記他方の面側を前記物品に接着すると、各シート片は折り畳み状態に保持される。そして、前記（vi）の要件を具備しているので、前記折り畳みラベルの前記はみ出し部分は、剥離剤を介して接着剤によって前記物品に接着されることから、その接着強度は比較的弱くなる。したがって、前記折り畳みラベルの前記はみ出し部分を前記物品から比較的容易に剥がすことができ、消費者等が当該折り畳みラベルの全ての表示内容を見る場合には、前記はみ出し部分を前記物品から剥がすことによって、当該ラベルを容易に展開することができる。
【００２８】
このように、この第４の態様による折り畳みラベルは、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００２９】
そして、この第４の態様では、前記（vii）の要件を具備しているので、前記折り畳みラベルの前記他方の面側を前記物品に接着するとき、前記孔から当該折り畳みラベルの前記他方の面側に露出した第１のシート片の一部も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（viii）の要件を具備しているので、前記孔から当該折り畳みラベルの前記他方の面側に露出した第１のシート片の一部は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００３０】
第５の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、（iv）前記第１のシート片に、前記第１のシート片を前記第１のはみ出し部分の側と前記第１の折り曲げ線の側とに分断するための１本又は複数本のミシン目が形成され、（v）前記第２のはみ出し部分の、当該折り畳みラベルの前記他方の面側に、剥離剤が形成されたものである。
【００３１】
この第５の態様による折り畳みラベルは、前記第１の態様による折り畳みラベルと同様に、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００３２】
そして、この第５の態様では、前記（iii）の要件を具備しており、当該折り畳みラベルの前記他方の面側には、前記第２のシート片から前記第１の折り曲げ線が延びる方向の少なくとも一方側にはみ出した第２のはみ出し部分をなす前記第１のシート片の一部が現れているので、前記折り畳みラベルの前記他方の面側を前記物品に接着するとき、第１のシート片の第２のはみ出し部分も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（v）の要件を具備しているので、第１のシート片の第２のはみ出し部分は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００３３】
第６の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）前記３つ以上のシート片のうちの第３のシート片が、 前記２本以上の折り曲げ線のうちの第２の折り曲げ線を介して前記第１のシート片と隣り合って連続し、（iii）前記第１及び第２の折り曲げ線は、前記第１のシート片の互いに反対の側に位置し、（iv）当該折り畳みラベルの前記一方の面側には、前記第１のシート片が現れ、（v）当該折り畳みラベルの前記他方の面側には、前記第２のシート片の他に、前記第２のシート片から前記第１の折り曲げ線の側とは反対の側にはみ出した第１のはみ出し部分をなす第３のシート片の一部、及び、前記第２のシート片から前記第１の折り曲げ線が延びる方向の少なくとも一方側にはみ出した第２のはみ出し部分をなす前記第１のシート片の一部が現れ、（vi）前記第１のシート片に、前記第１のシート片を前記第１の折り曲げ線の側と前記第２の折り曲げ線の側とに分断するための１本又は複数本のミシン目が形成され、（vii）前記第２のはみ出し部分の、当該折り畳みラベルの前記他方の面側に、剥離剤が形成されたものである。
【００３４】
この第６の態様による折り畳みラベルは、前記第２の態様による折り畳みラベルと同様に、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００３５】
そして、この第６の態様では、前記（v）の要件を具備しており、当該折り畳みラベルの前記他方の面側には、前記第２のシート片から前記第１の折り曲げ線が延びる方向の少なくとも一方側にはみ出した第２のはみ出し部分をなす前記第１のシート片の一部が現れているので、前記折り畳みラベルの前記他方の面側を前記物品に接着するとき、第１のシート片の第２のはみ出し部分も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（vii）の要件を具備しているので、第１のシート片の第２のはみ出し部分は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００３６】
第７の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、（iv）前記第１のはみ出し部分の、当該折り畳みラベルの前記他方の面側に、剥離剤が形成され、（v）前記第２のはみ出し部分の、当該折り畳みラベルの前記他方の面側に、剥離剤が形成されたものである。
【００３７】
この第７の態様による折り畳みラベルは、前記第３の態様による折り畳みラベルと同様に、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００３８】
そして、この第７の態様では、前記（iii）の要件を具備しており、当該折り畳みラベルの前記他方の面側には、前記第２のシート片から前記第１の折り曲げ線が延びる方向の少なくとも一方側にはみ出した第２のはみ出し部分をなす前記第１のシート片の一部が現れているので、前記折り畳みラベルの前記他方の面側を前記物品に接着するとき、第１のシート片の第２のはみ出し部分も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（v）の要件を具備しているので、第１のシート片の第２のはみ出し部分は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００３９】
第８の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）２本以上の折り曲げ線により区画され重ね合わされた３つ以上のシート片のうち、前記２本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）前記３つ以上のシート片のうちの第３のシート片が、 前記２本以上の折り曲げ線のうちの第２の折り曲げ線を介して前記第１のシート片と隣り合って連続し、（iii）前記第１及び第２の折り曲げ線は、前記第１のシート片の互いに反対の側に位置し、（iv）当該折り畳みラベルの前記一方の面側には、前記第１のシート片が現れ、（v）当該折り畳みラベルの前記他方の面側には、前記第２のシート片の他に、前記第２のシート片から前記第１の折り曲げ線の側とは反対の側にはみ出した第１のはみ出し部分をなす第３のシート片の一部、及び、前記第２のシート片から前記第１の折り曲げ線が延びる方向の少なくとも一方側にはみ出した第２のはみ出し部分をなす前記第１のシート片の一部が現れ、（vi）前記第１のはみ出し部分の、当該折り畳みラベルの前記他方の面側に、剥離剤が形成され、（vii）前記第２のはみ出し部分の、当該折り畳みラベルの前記他方の面側に、剥離剤が形成されたものである。
【００４０】
この第８の態様による折り畳みラベルは、前記第４の態様による折り畳みラベルと同様に、１枚のシートのみを用い当該シートを折り畳んで構成されているにもかかわらず、当該シートのいずれの箇所同士も接着されていないので、製造工程が簡単となるとともに、接着剤塗布可能な製造装置を用いる必要がないので、コストを低減することができる。
【００４１】
そして、この第８の態様では、前記（v）の要件を具備しており、当該折り畳みラベルの前記他方の面側には、前記第２のシート片から前記第１の折り曲げ線が延びる方向の少なくとも一方側にはみ出した第２のはみ出し部分をなす前記第１のシート片の一部が現れているので、前記折り畳みラベルの前記他方の面側を前記物品に接着するとき、第１のシート片の第２のはみ出し部分も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（vii）の要件を具備しているので、第１のシート片の第２のはみ出し部分は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００４２】
第９の態様による折り畳みラベル付き物品は、前記第１乃至第８のいずれかの態様による折り畳みラベルが付着された物品であって、前記折り畳みラベルの前記はみ出し部分及び前記第２のシート片の、前記折り畳みラベルの前記他方の面側が、接着剤により前記物品に接着されたものである。
【００４３】
前記物品としては、例えば、箱、包、瓶、ボトル又は缶などの容器を挙げることができる。この点は、後述する各態様についても同様である。
【００４４】
この第９の態様による折り畳みラベル付き物品では、前記第１乃至第８のいずれかの態様による折り畳みラベルが付着されているので、当該折り畳みラベル付き物品の全体としても、コストを低減することができる。
【００４５】
第１０の態様による折り畳みラベル付き物品の製造方法は、前記第９の態様による折り畳みラベル付き物品を製造する方法であって、（i）前記折り畳みラベル及び前記折り畳みラベルを付着すべき物品を用意し、（ii）前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、（iii）前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により前記物品に接着するものである。
【００４６】
この第１０の態様は、前記第９の態様による折り畳みラベル付き物品の製造方法の一例を挙げたものである。この第１０の態様によれば、前記（ii）のようにして吸着ドラムに対する当該折り畳みラベルの表裏や向きを設定することで、当該折り畳みラベルをあたかも１枚の折り畳まれていないシートと同様に取り扱うことが可能となり、前記吸着ドラムや塗布ローラを有する既存のラベル貼り付け装置（１枚の折り畳まれていないシートからなるラベルを貼り付ける装置）などを用いて、前記第９の態様による折り畳みラベル付き物品を製造することができる。
【００４７】
第１１の態様による折り畳みラベル付き物品は、前記第１乃至第８のいずれかの態様による折り畳みラベルが付着された物品であって、（i）前記折り畳みラベルは、前記折り畳みラベルの前記一方の面側を外側にするとともに前記第１の折り曲げ線を巻き付け開始端部として、前記物品の外周面に１周よりも多く巻き付けられ、（ii）前記折り畳みラベルの前記第２のシート片の、前記折り畳みラベルの前記他方の面側の少なくとも一部が、接着剤により前記物品に接着され、（iii）前記折り畳みラベルの前記はみ出し部分の、前記折り畳みラベルの前記他方の面側の少なくとも一部が、これに対面する前記第１のシート片の、当該折り畳みラベルの前記一方の面側の一部に接着剤により接着されたものである。
【００４８】
この第１１の態様による折り畳みラベル付き物品では、前記第１乃至第８のいずれかの態様による折り畳みラベルが付着されているので、当該折り畳みラベル付き物品の全体としても、コストを低減することができる。
【００４９】
第１２の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出したはみ出し部分をなす前記第１のシート片の一部が現れ、（iv）前記第１のシート片に、前記第１のシート片を前記第１の折り曲げ線の側とその反対側とに分断するための複数本のミシン目が形成され、（v）前記複数本のミシン目は、前記第１のシート片に、切り取り可能な帯状の切り取り部を形成し、（vi）前記切り取り部は、前記はみ出し部分の一部を含み、（vii）前記はみ出し部分の、当該折り畳みラベルの前記他方の面側に、前記切り取り部の付近において剥離剤が形成され、（viii）当該折り畳みラベルの折り畳み状態において前記第１のシート片の一部を当該折り畳みラベルの前記他方の面側に露出させる孔が、前記シートの所定箇所に形成され、（ix）前記第１のシート片における前記孔に対応する領域に、剥離剤が形成されたものである。
【００５０】
この第１２の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第１２の態様では、前記（i）〜（vii）の要件を具備しているので、後述する第１４の態様のように物品の外周面に巻き付けて所定箇所を接着すると、各シート片は折り畳み状態に保持される。そして、消費者等が当該折り畳みラベルの全ての表示内容を見る場合には、前記（v）〜（vii）の要件を具備しているので、帯状の切り取り部を切り取ることによって、当該ラベルを容易に展開することができる。また、前記（v）〜（vii）の要件を具備しているので、帯状の切り取り部を切り取った後には、切り取り部が存在していた箇所において物品が外部に露出する。よって、容器等の物品が透明又は半透明であれば、その内容物の残量を容易に確認することができる。
【００５１】
そして、この第１２の態様では、前記（viii）の要件を具備しているので、前記折り畳みラベルの前記他方の面側を前記物品に接着するとき、前記孔から当該折り畳みラベルの前記他方の面側に露出した第１のシート片の一部も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（ix）の要件を具備しているので、前記孔から当該折り畳みラベルの前記他方の面側に露出した第１のシート片の一部は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００５２】
第１３の態様による折り畳みラベルは、表裏の所定箇所に表示内容が記載された１枚のシートのみを用い当該シートを折り畳んで構成されかつ当該シートのいずれの箇所同士も接着されることなく構成された折り畳みラベルであって、（i）１本以上の折り曲げ線により区画され重ね合わされた複数のシート片のうち、前記１本以上の折り曲げ線のうちの第１の折り曲げ線を介して隣り合って連続する第１及び第２のシート片が、当該折り畳みラベルの折り畳み状態において、当該折り畳みラベルの一方の面側及び他方の面側にそれぞれ現れ、（ii）当該折り畳みラベルの前記一方の面側には、前記第１のシート片が現れ、（iii）当該折り畳みラベルの前記他方の面側には、前記第２のシート片の他に、前記第２のシート片から前記第１の折り曲げ線の側とは反対の側にはみ出した第１のはみ出し部分をなす前記第１のシート片の一部、及び、前記第２のシート片から前記第１の折り曲げ線が延びる方向の少なくとも一方側にはみ出した第２のはみ出し部分をなす前記第１のシート片の一部が現れ、（iv）前記第１のシート片に、前記第１のシート片を前記第１の折り曲げ線の側とその反対側とに分断するための複数本のミシン目が形成され、（v）前記複数本のミシン目は、前記第１のシート片に、切り取り可能な帯状の切り取り部を形成し、（vi）前記切り取り部は、前記第１のはみ出し部分の一部を含み、（vii）前記第１のはみ出し部分の、当該折り畳みラベルの前記他方の面側に、前記切り取り部の付近において剥離剤が形成され、（viii）前記第２のはみ出し部分の、当該折り畳みラベルの前記他方の面側に、剥離剤が形成されたものである。
【００５３】
この第１３の態様による折り畳みラベルは、前記シートのいずれの箇所同士も接着されることなく構成されているので、当該折り畳みラベルを容器等の物品に接着する前の状態では、特別には、各シート片は折り畳み状態に保持されていない。しかしながら、この第１３の態様では、前記（i）〜（vii）の要件を具備しているので、後述する第１４の態様のように物品の外周面に巻き付けて所定箇所を接着すると、各シート片は折り畳み状態に保持される。そして、消費者等が当該折り畳みラベルの全ての表示内容を見る場合には、前記（v）〜（vii）の要件を具備しているので、帯状の切り取り部を切り取ることによって、当該ラベルを容易に展開することができる。また、前記（v）〜（vii）の要件を具備しているので、帯状の切り取り部を切り取った後には、切り取り部が存在していた箇所において物品が外部に露出する。よって、容器等の物品が透明又は半透明であれば、その内容物の残量を容易に確認することができる。
【００５４】
そして、この第１３の態様では、前記（iii）の要件を具備しており、当該折り畳みラベルの前記他方の面側には、前記第２のシート片から前記第１の折り曲げ線が延びる方向の少なくとも一方側にはみ出した第２のはみ出し部分をなす前記第１のシート片の一部が現れているので、前記折り畳みラベルの前記他方の面側を前記物品に接着するとき、第１のシート片の第２のはみ出し部分も、物品に接着することができる。したがって、当該折り畳みラベルを付着する物品が高い剛性を有していなくて変形可能なものであっても、当該折り畳みラベルの展開前におけるシート片の物品側からの浮き上がりを低減することができる。このとき、前記（viii）の要件を具備しているので、第１のシート片の第２のはみ出し部分は、剥離剤を介して物品に接着される。このため、その接着強度は比較的弱くなる。したがって、当該折り畳みラベルの展開時にはその接着部分を比較的容易に剥がすことができ、当該折り畳みラベルを容易に展開することができる。
【００５５】
第１４の態様による折り畳みラベル付き物品は、前記第１２又は第１３の態様による折り畳みラベルが付着された物品であって、（i）前記折り畳みラベルは、前記折り畳みラベルの前記一方の面側を外側にするとともに前記第１の折り曲げ線を巻き付け開始端部として前記物品の外周面に１周よりも多く巻き付けられ、（ii）前記折り畳みラベルの前記第２のシート片の、前記折り畳みラベルの前記他方の面側の少なくとも一部が、接着剤により前記物品に接着され、（iii）前記折り畳みラベルの前記はみ出し部分の、前記折り畳みラベルの前記他方の面側の一部が、これに対面する前記第１のシート片の、当該折り畳みラベルの前記一方の面側の一部に接着剤により接着され、（iv）前記折り畳みラベルの前記はみ出し部分の、前記折り畳みラベルの前記他方の面側の他の一部が、これに対面する前記物品に接着剤により接着されたものである。
【００５６】
この第１４の態様による折り畳みラベル付き物品では、前記第１乃至第８のいずれかの態様による折り畳みラベルが付着されているので、当該折り畳みラベル付き物品の全体としても、コストを低減することができる。
【００５７】
第１５の態様による折り畳みラベル付き物品の製造方法は、前記第１４の態様による折り畳みラベル付き物品を製造する方法であって、（i）前記折り畳みラベル及び前記折り畳みラベルを付着すべき物品を用意し、（ii）前記折り畳みラベルの前記他方の面側を外側にして前記折り畳みラベルを吸着ドラムに吸着させるとともに、前記折り畳みラベルの前記はみ出し部分の側を前記吸着ドラムの回転方向の後側とし前記折り畳みラベルの前記第１の折り曲げ線の側を前記吸着ドラムの前記回転方向の先側として前記折り畳みラベルを前記吸着ドラムに吸着させた状態で、前記吸着ドラムを前記回転方向に回転させつつ、前記折り畳みラベルの前記はみ出し部分及び前記第２のシート片の、前記折り畳みラベルの前記他方の面側に接着剤を、塗布ローラにて塗布し、（iii）前記吸着ドラムを前記回転方向に回転させつつ、前記接着剤が塗布された後の前記折り畳みラベルを前記吸着ドラムによって前記物品に押し付けることによって、前記折り畳みラベルの前記はみ出し部分及び前記第２のシート片の、前記折り畳みラベルの前記他方の面側を、前記接着剤により所定箇所に接着するものである。
【００５８】
この第１５の態様は、前記第１４の態様による折り畳みラベル付き物品の製造方法の一例を挙げたものである。この第１５の態様によれば、前記（ii）のようにして吸着ドラムに対する当該折り畳みラベルの表裏や向きを設定することで、当該折り畳みラベルをあたかも１枚の折り畳まれていないシートと同様に取り扱うことが可能となり、前記吸着ドラムや塗布ローラを有する既存のラベル貼り付け装置（１枚の折り畳まれていないシートからなるラベルを貼り付ける装置）などを用いて、前記第１４の態様による折り畳みラベル付き物品を製造することができる。
【発明の効果】
【００５９】
本発明によれば、シートのいずれの箇所同士も接着せずにすみコスト低減を図ることができるとともに、物品に付着された場合、当該物品が変形可能なものであっても、当該折り畳みラベルの展開前におけるシート片の物品側からの浮き上がりを低減することができる折り畳みラベル、これを用いた折り畳みラベル付き物品、及び、その折り畳みラベル付き物品の製造方法を提供することができる。
【図面の簡単な説明】
【００６０】
【図１】本発明の第１の実施の形態による折り畳みラベルを示す概略斜視図である。
【図２】図１中のＡ−Ａ’線に沿った概略断面図である。
【図３】図１中のＢ−Ｂ’線に沿った概略断面図である。
【図４】図１に示す折り畳みラベルを示す折り畳み前の概略展開図である。
【図５】図１に示す折り畳みラベルを袋に付着した状態を示す概略断面図である。
【図６】袋に付着された状態において図１に示す折り畳みラベルを展開した状態を示す概略断面図である。
【図７】ラベル貼り付け装置を模式的に示す概略構成図である。
【図８】図１に示す折り畳みラベルをボトルに付着した状態を示す概略斜視図である。
【図９】他のラベル貼り付け装置を模式的に示す概略構成図である。
【図１０】本発明の第２の実施の形態による折り畳みラベルを示す概略斜視図である。
【図１１】図１０に示す折り畳みラベルを袋に付着した状態を示す概略断面図である。
【図１２】本発明の第３の実施の形態による折り畳みラベルを示す概略斜視図である。
【図１３】図１２中のＣ−Ｃ’線に沿った概略断面図である。
【図１４】図１２中のＤ−Ｄ’線に沿った概略断面図である。
【図１５】図１２に示す折り畳みラベルを袋に付着した状態を示す概略断面図である。
【図１６】本発明の第４の実施の形態による折り畳みラベルを示す概略斜視図である。
【図１７】図１６に示す折り畳みラベルを袋に付着した状態を示す概略断面図である。
【図１８】本発明の第５の実施の形態による折り畳みラベルを示す概略斜視図である。
【図１９】図１８中のＥ−Ｅ’線に沿った概略断面図である。
【図２０】図１８中のＦ−Ｆ’線に沿った概略断面図である。
【図２１】図１８に示す折り畳みラベルを袋に付着した状態を示す概略断面図である。
【図２２】本発明の第６の実施の形態による折り畳みラベルを示す概略斜視図である。
【図２３】図２２に示す折り畳みラベルを袋に付着した状態を示す概略断面図である。
【図２４】本発明の第７の実施の形態による折り畳みラベルを示す概略斜視図である。
【図２５】図２４中のＧ−Ｇ’線に沿った概略断面図である。
【図２６】図２４中のＨ−Ｈ’線に沿った概略断面図である。
【図２７】図２４に示す折り畳みラベルを示す折り畳み前の概略展開図である。
【図２８】図２４に示す折り畳みラベルを袋に付着した状態を示す概略断面図である。
【図２９】袋に付着された状態において図２４に示す折り畳みラベルを展開した状態を示す概略断面図である。
【図３０】本発明の第８の実施の形態による折り畳みラベルを示す概略斜視図である。
【図３１】図３０中のＪ−Ｊ’線に沿った概略断面図である。
【図３２】図３０中のＫ−Ｋ’線に沿った概略断面図である。
【図３３】図３０に示す折り畳みラベルを袋に付着した状態を示す概略断面図である。
【図３４】本発明の第９の実施の形態による折り畳みラベルを示す概略斜視図である。
【図３５】図３４中のＬ−Ｌ’線に沿った概略断面図である。
【図３６】図３４中のＭ−Ｍ’線に沿った概略断面図である。
【図３７】図３４に示す折り畳みラベルを袋に付着した状態を示す概略断面図である。
【図３８】本発明の第１０の実施の形態による折り畳みラベルを示す概略斜視図である。
【図３９】図３８中のＮ−Ｎ’線に沿った概略断面図である。
【図４０】図３８中のＯ−Ｏ’線に沿った概略断面図である。
【図４１】図３８に示す折り畳みラベルを袋に付着した状態を示す概略断面図である。
【図４２】本発明の第１１の実施の形態による折り畳みラベルを示す概略斜視図である。
【図４３】図４２中のＰ−Ｐ’線に沿った概略断面図である。
【図４４】図４２中のＱ−Ｑ’線に沿った概略断面図である。
【図４５】図４２に示す折り畳みラベルを袋に付着した状態を示す概略断面図である。
【図４６】本発明の第１２の実施の形態による折り畳みラベル付き物品を示す概略斜視図である。
【図４７】図４６に示す折り畳みラベル付き物品の概略横断面図である。
【図４８】本発明の第１３の実施の形態による折り畳みラベル付き物品の概略横断面図である。
【図４９】本発明の第１４の実施の形態による折り畳みラベル付き物品の概略横断面図である。
【図５０】本発明の第１５の実施の形態による折り畳みラベル付き物品の概略横断面図である。
【図５１】本発明の第１６の実施の形態による折り畳みラベルを示す概略斜視図である。
【図５２】図５１中のＲ−Ｒ’線に沿った概略断面図である。
【図５３】図５１中のＳ−Ｓ’線に沿った概略断面図である。
【図５４】図５１に示す折り畳みラベルを示す折り畳み前の概略展開図である。
【図５５】図５１に示す折り畳みラベルをボトルに付着した状態を示す概略斜視図である。
【図５６】図５５に示す折り畳みラベル付き物品の概略横断面図である。
【図５７】図５５に示す折り畳みラベル付き物品の所定の状態を示す概略斜視図である。
【図５８】本発明の第１７の実施の形態による折り畳みラベルを示す概略斜視図である。
【図５９】図５８中のＴ−Ｔ’線に沿った概略断面図である。
【図６０】図５８中のＵ−Ｕ’線に沿った概略断面図である。
【図６１】本発明の第１８の実施の形態による折り畳みラベルを示す概略斜視図である。
【図６２】図６１中のＶ−Ｖ’線に沿った概略断面図である。
【図６３】図６１中のＷ−Ｗ’線に沿った概略断面図である。
【図６４】図６１に示す折り畳みラベルを付着したボトルを示す概略横断面図である。
【図６５】ミシン目の各パターン例を示す概略平面図である。
【図６６】本発明の第１９の実施の形態による折り畳みラベルを示す概略斜視図である。
【図６７】図６６中のＹ１−Ｙ１’線に沿った概略断面図である。
【図６８】本発明の第２０の実施の形態による折り畳みラベルを示す概略斜視図である。
【図６９】図６８中のＹ２−Ｙ２’線に沿った概略断面図である。
【図７０】本発明の第２１の実施の形態による折り畳みラベルを示す概略斜視図である。
【図７１】図７０中のＹ３−Ｙ３’線に沿った概略断面図である。
【図７２】本発明の第２２の実施の形態による折り畳みラベルを示す概略斜視図である。
【図７３】図７２中のＹ４−Ｙ４’線に沿った概略断面図である。
【図７４】本発明の第２３の実施の形態による折り畳みラベルを示す概略斜視図である。
【図７５】図７４中のＹ５−Ｙ５’線に沿った概略断面図である。
【図７６】本発明の第２４の実施の形態による折り畳みラベルを示す概略斜視図である。
【図７７】図７６中のＹ６−Ｙ６’線に沿った概略断面図である。
【図７８】本発明の第２５の実施の形態による折り畳みラベルを示す概略斜視図である。
【図７９】図７８中のＹ７−Ｙ７’線に沿った概略断面図である。
【図８０】本発明の第２６の実施の形態による折り畳みラベルを示す概略斜視図である。
【図８１】図８０中のＹ８−Ｙ８’線に沿った概略断面図である。
【図８２】本発明の第２７の実施の形態による折り畳みラベルを示す概略斜視図である。
【図８３】図８２中のＹ９−Ｙ９’線に沿った概略断面図である。
【図８４】本発明の第２８の実施の形態による折り畳みラベルを示す概略斜視図である。
【図８５】図８４中のＹ１０−Ｙ１０’線に沿った概略断面図である。
【図８６】本発明の第２９の実施の形態による折り畳みラベルを示す概略斜視図である。
【図８７】図８６中のＹ１１−Ｙ１１’線に沿った概略断面図である。
【発明を実施するための形態】
【００６１】
以下、本発明による折り畳みラベル、その折り畳みラベルを用いた折り畳みラベル付き物品、並びに、その折り畳みラベル付き物品の製造方法について、図面を参照して説明する。
【００６２】
［第１の実施の形態］
図１は、本発明の第１の実施の形態による折り畳みラベル１を示す概略斜視図である。図２は、図１中のＡ−Ａ’線に沿った概略断面図である。図３は、図１中のＢ−Ｂ’線に沿った概略断面図である。図４は、本実施の形態による折り畳みラベル１を示す折り畳み前の概略展開図である。
【００６３】
この折り畳みラベル１は、表裏の所定箇所に表示内容（図示せず）が記載された１枚のシート２のみを用い当該シート２を折り畳んで構成され、かつ、当該シート２のいずれの箇所同士も接着されることなく構成されている。
【００６４】
そして、１本の折り曲げ線３により区画され重ね合わされた複数のシート片４，５のうち、折り曲げ線３を介して隣り合って連続する第１及び第２のシート片４，５が、折り畳みラベル１の折り畳み状態において、折り畳みラベル１の上面側及び下面側にそれぞれ現れている。折り畳みラベル１の上面側には、第１のシート片４のみが現れている。折り畳みラベル１の下面側には、第２のシート片５の他に、第２のシート片５から折り曲げ線３の側とは反対の側にはみ出したはみ出し部分４ａをなす第１のシート片４の一部が現れている。
【００６５】
第１のシート片４には、第１のシート片４をはみ出し部分４ａの側と折り曲げ線３の側とに分断するための２本のミシン目６ａ，６ｂが形成されている。本実施の形態では、２本のミシン目６ａ，６ｂによって、第１のシート片４に帯状の切り取り部４ｂが画成されている。もっとも、１本のミシン目６ａのみを形成するだけでもよく、その場合でも、ミシン目６ａで切断することで、第１のシート片４を分断し得る。また、本実施の形態では、ミシン目６ａ，６ｂは、折り曲げ線３の付近に形成されているが、第１のシート片４をはみ出し部分４ａの側と折り曲げ線３の側とに分断できる位置であれば、ミシン目６ａ，６ｂの形成位置は特に限定されるものではない。
【００６６】
そして、本実施の形態による折り畳みラベル１では、当該折り畳みラベル１の折り畳み状態において第１のシート片４の一部を当該折り畳みラベル１の下面側に露出させる孔５ｃが、シート２の所定箇所に形成されている。
【００６７】
本実施の形態では、孔５ｃは第２のシート片５に合計６個形成され、折り曲げ線３が延びる方向の一方側において折り曲げ線３側からはみ出し部分４ａ側へ間隔をあけて３個の孔５ｃが形成され、折り曲げ線３が延びる方向の他方側において折り曲げ線３側からはみ出し部分４ａ側へ間隔をあけて３個の孔５ｃが形成されている。もっとも、本発明では、孔５ｃの個数や位置や形状は特に限定されるものではなく、例えば、前記６個の孔５ｃうち折り曲げ線３に近い２個の孔５ｃのみを形成し、他の４個の孔５ｃは形成しなくてもよい。この場合であっても、折り畳みラベル１が物品に接着されたときに、折り畳みラベル１の展開前におけるシート片４の物品側からの浮き上がりを低減する効果をそれなりに得ることができる。もっとも、実際には、孔５ｃの個数や位置や形状は、その浮き上がり低減効果が高まるように設定することが好ましい。なお、孔５ｃは丸孔に代えて、長穴等でもよい。
【００６８】
また、本実施の形態による折り畳みラベル１では、第１のシート片４における孔５ｃに対応する領域に、剥離剤５０１が形成されている。本実施の形態では、剥離剤５０１は、第１のシート片４の下面における孔５ｃ付近の領域のみに形成されているが、これ以外の領域にも形成してもよい。例えば、剥離剤５０１は、第１のシート片４の下面の全体に形成してもよい。
【００６９】
剥離剤５０１は、接着剤１０による接着の際にその接着強度を弱めて剥離し易くするものをいい、例えば、剥離ニス（例えば、大日本インキ化学工業株式会社製の「剥離ＯＰニス」）などを挙げることができる。前記剥離剤は、例えば、印刷等により形成しておくことができる。この点は、後述する各実施の形態についても同様である。
【００７０】
シート２としては、上質紙等の紙、合成紙、フィルム、紙にフィルムを貼り付けたもの等の各種材質のものを採用することができる。また、シート２は、文字、図形や記号等の表示内容を印刷した後などにつや出し加工やニス加工や耐水化剤のコーティングなどの各種の処理を片面又は両面に施したものでもよい。
【００７１】
本実施の形態では、はみ出し部分４ａの下面及びシート片５の下面を除く領域には、表示内容が印刷等により記載されているが、その図示は省略している。
【００７２】
図５は、本実施の形態による折り畳みラベル１を、物品としての容器である角底袋などの袋１００に付着した状態を示す概略断面図であり、図２に対応している。なお、図５では、袋１００は大幅に簡略化して示している。
【００７３】
この折り畳みラベル１は、図５に示すように、袋１００などの物品に付着される際に、はみ出し部分４ａの下面及び第２のシート片５の下面が、接着剤１０により袋１００に接着される。また、図面には示していないが、孔５ｃから剥離剤５０１を介して露出した第１のシート片４の一部も、接着剤１０により袋１００に接着される。接着剤１０としては、特に限定されるものではないが、例えば、澱粉糊などが用いられる。
【００７４】
本実施の形態による折り畳みラベル１は、シート２のいずれの箇所同士も接着されることなく構成されているので、当該折り畳みラベル１を袋１００などの物品に接着する前の状態（図１乃至図３参照）では、特別には、各シート片４，５は折り畳み状態に保持されていない。しかしながら、図５から理解できるように、はみ出し部分４ａの下面及び第２のシート片５の下面を袋１００などの物品に接着すると、各シート片４，５は折り畳み状態に保持される。
【００７５】
そして、消費者等が折り畳みラベル１の全ての表示内容を見る場合には、ミシン目６ａ，６ｂに沿って切断して切り取り部４ｂを切り取ると、図６に示すように、当該折り畳みラベル１を容易に展開することができる。図６は、袋１００に付着された状態において折り畳みラベル１を展開した状態を示す概略断面図であり、図５に対応している。
【００７６】
このように、本実施の形態による折り畳みラベル１は、１枚のシート２のみを用い当該シート２を折り畳んで構成されているにもかかわらず、当該シート２のいずれの箇所同士も接着されていないので、製造工程が簡単となるとともに、接着剤塗布可能な製造装置を用いる必要がないので、コストを低減することができる。
【００７７】
次に、図５に示す折り畳みラベル付き物品（本実施の形態では、折り畳みラベル１が付着された袋１００）を製造する製造方法の一例について、図７を参照して説明する。図７は、その製造に用いるラベル貼り付け装置を模式的に示す概略構成図である。
【００７８】
このラベル貼り付け装置は、折り畳みラベル１を収容するマガジン２１と、折り畳みラベル１をエアバキューム（その吸引口等の図示は省略。）により外周部に吸着する吸着ドラム２２と、接着剤１０を収容した容器２３と、容器２３から接着剤１０を取り出す取り出しローラ２４と、取り出しローラ２４により取り出された接着剤１０を受け取り吸着ドラム２２に吸着されている折り畳みラベル１に接着剤１０を塗布するゴム製等の塗布ローラ２５と、袋１００を搬送する搬送機２６と、を備えている。このラベル貼り付け装置として、１枚の折り畳まれていないシートからなるラベルを袋１００に貼り付けるラベル貼り付け装置がそのまま用いられ、マガジン２１には、１枚の折り畳まれていないシートからなるラベルに代えて、折り畳みラベル１がセットされている。
【００７９】
図５に示す折り畳みラベル付き袋を製造するには、シート２に対する表示内容の印刷、ミシン目６ａ，６ｂの形成、及び折り曲げによって折り畳みラベル１を製造して用意する。一方、周知の方法で、袋１００を用意する。
【００８０】
次に、図７に示すように、折り畳みラベル１は、第２のシート片５を外側にし第１のシート片４を内側にして吸着ドラム２２に吸着されるとともに、はみ出し部分４ａの側を吸着ドラム２２の回転方向Ｋ１の後側とし折り畳みラベル１の折り曲げ線３の側を吸着ドラム２２の回転方向Ｋ１の先側として吸着ドラム２２に吸着されるように、マガジン２１にセットされる。
【００８１】
そして、図７に示すラベル貼り付け装置を作動させると、折り畳みラベル１が吸着ドラム２２により吸着されてマガジン２１から取り出される。このとき、折り畳みラベル１は、第２のシート片５を外側にし第１のシート片４を内側にして吸着ドラム２２に吸着されるとともに、はみ出し部分４ａの側を吸着ドラム２２の回転方向Ｋ１の後側とし折り畳みラベル１の折り曲げ線３の側を吸着ドラム２２の回転方向Ｋ１の先側として吸着ドラム２２に吸着される。
【００８２】
更に、吸着ドラム２２が回転方向Ｋ１に回転されつつ、塗布ローラ２５によって、接着剤１０が、折り畳みラベル１のはみ出し部分４ａ及び第２のシート片５の、外側面（図１及び図２では下面）に塗布される。このとき、接着剤１０は、孔５ｃ内の剥離剤５０１上にも塗布される。なお、孔５ｃがあまりにも小さければ、塗布ローラ２５の曲率半径や接着剤１０の粘度やシート片５の厚みなどとの関係で、接着剤１０が孔５ｃ内に塗布されないおそれがある。そこで、実際には、この点を考慮して、接着剤１０が孔５ｃ内の剥離剤５０１上の少なくとも一部の領域に塗布されるように、孔５ｃの大きさ等が設定しておく。この点は、後述する各実施の形態についても同様である。
【００８３】
その後、吸着ドラム２２が回転方向Ｋ１に回転されつつ、接着剤１０が塗布ローラ２５によって塗布された後の折り畳みラベル１が、吸着ドラム２２によって、搬送機２６により搬送されてきた袋１００に押し付けられ、これにより、折り畳みラベル１の外側面（すなわち、はみ出し部分４ａの外側面及び第２のシート片５の外側面）が袋１００に接着される。このとき、孔５ｃから剥離剤５０１を介して露出した第１のシート片４の一部も、袋１００に接着される。これにより、図５に示す折り畳みラベル付き袋が完成する。
【００８４】
この製造方法では、吸着ドラム２２に対する折り畳みラベル１の表裏や向きを前述したように設定することで、当該折り畳みラベル１をあたかも１枚の折り畳まれていないシートと同様に取り扱うことが可能となり、吸着ドラム２２や塗布ローラ２５を有する既存のラベル貼り付け装置などを用いて、図５に示す折り畳みラベル付き袋を製造することができている。
【００８５】
なお、図７に示す場合とは逆に、はみ出し部分４ａを吸着ドラム２２の回転方向Ｋ１の先側とし折り曲げ線３の側を吸着ドラム２２の回転方向Ｋ１の後側として折り畳みラベル１を吸着ドラム２２に吸着させると、折り畳みラベル１にめくれや皺等が生じ易くなってしまい、折り畳みラベル１を袋１００に適切に付着させることができない場合が生ずる。これに対し、図７に示すような向きで折り畳みラベル１を吸着ドラム２２に吸着させると、折り畳みラベル１にめくれや皺等が生じ難くなり、折り畳みラベル１を袋１００に適切に付着させることができる。
【００８６】
本実施の形態による折り畳みラベル１では、前述したように、孔５ｃから剥離剤５０１を介して露出した第１のシート片４の一部も物品（ここでは、袋１００）に接着される。したがって、当該折り畳みラベル１を付着する物品が袋１００のように高い剛性を有していなくて変形可能なものであっても、当該折り畳みラベル１の展開前におけるシート片４の物品側からの浮き上がりを低減することができる。このとき、孔５ｃから折り畳みラベル１の図１乃至図３中の下面側に露出した第１のシート片４の一部は、剥離剤５０１を介して物品に接着される。このため、その接着強度は比較的弱くなる。したがって、当該折り畳みラベル１の展開時にはその接着部分を比較的容易に剥がすことができ、当該折り畳みラベル１を容易に展開することができる。
【００８７】
折り畳みラベル１が付着される物品は袋１００に限定されるものではない。図８は、折り畳みラベル１をボトル１０１に接着した例を示している。折り畳みラベル１のボトル１０１に対する接着は、基本的に、図７に示すラベル貼り付け装置及び後述する図９に示すラベル貼り付け装置を用いることができる。ただし、搬送機２６は、ボトル１０１に合わせて適宜変更される。本発明で用い得るボトル１０１は、高い剛性を有していて変形しないものでもよいし、高い剛性を有していなくて変形可能であるものでもよい。
【００８８】
図７に示すラベル貼り付け装置に代えて、例えば、図９に示すラベル貼り付け装置を用いて、図５に示す折り畳みラベル付き物品（本実施の形態では、折り畳みラベル１が付着された袋１００）を製造することもできる。
【００８９】
図９は、ラベル貼り付け装置を模式的に示す概略構成図である。図９において、図７中の要素と同一又は対応する要素には同一符号を付し、その重複する説明は省略する。
【００９０】
図９に示すラベル貼り付け装置が図７に示すラベル貼り付け装置と異なる所は、マガジン２１と吸着ドラム２２との間に、マガジン２１から折り畳みラベル１を取り出して吸着ドラム２２へ受け渡す吸着ドラム１２２が追加されている点と、これに伴うマガジン２１の配置とマガジン２１への折り畳みラベル１のセット方法の変更のみである。吸着ドラム１２２の回転方向Ｋ２は吸着ドラム２２の回転方向Ｋ１と反対であるとともに、吸着ドラム２２に対する折り畳みラベル１の表裏と吸着ドラム１２２に対する折り畳みラベル１の表裏とは反転する。このため、図９に示すラベル貼り付け装置では、吸着ドラム２２に対する折り畳みラベル１の表裏や向きを図７に示すラベル貼り付け装置と同じにする（すなわち、折り畳みラベル１が、第２のシート片５を外側にし第１のシート片４を内側にして吸着ドラム２２に吸着されるとともに、はみ出し部分４ａの側を吸着ドラム２２の回転方向Ｋ１の後側とし折り畳みラベル１の折り曲げ線３の側を吸着ドラム２２の回転方向Ｋ１の先側として吸着ドラム２２に吸着されるようにする）ため、折り畳みラベル１は、図７に示すラベル貼り付け装置と異なり、図９に示すように、マガジン２１にセットされる。
【００９１】
この図９に示すラベル貼り付け装置を用いて、図５に示す折り畳みラベル付き物品を製造する場合、孔５ｃの有無によって折り畳みラベル１の吸着ドラム１２２に対する吸着状況は変わらないが、孔５ｃが存在することによって、折り畳みラベル１の吸着ドラム１２２に対する吸着状況が改善されるため、折り畳みラベル付き物品の製造効率が高まる。
【００９２】
すなわち、折り畳みラベル１は、第２のシート片５を内側にし第１のシート片４を外側にして吸着ドラム１２２に吸着されるとともに、はみ出し部分４ａの側を吸着ドラム１２２の回転方向Ｋ２の後側とし折り畳みラベル１の折り曲げ線３の側を吸着ドラム１２２の回転方向Ｋ２の先側として吸着ドラム１２２に吸着される。本実施の形態による折り畳みラベル１では、折り畳み状態において、孔５ｃを介して、第１のシート片４の一部が第２のシート片５側に露出している。したがって、折り畳みラベル１が、前述したように、第２のシート片５を内側にし第１のシート片４を外側にして吸着ドラム１２２に吸着されたときに、孔５ｃから第２のシート片５側に露出している第１のシート片４の一部が、吸着ドラム１２２によって吸引されて吸着保持される。したがって、第１のシート片４にめくれや皺等が生じる率が低下し、ひいては、折り畳みラベル１を物品に適切に接着することができる率が高まり、折り畳みラベル付き物品の製造効率が高まる。
【００９３】
［第２の実施の形態］
図１０は、本発明の第２の実施の形態による折り畳みラベル３１を示す概略斜視図であり、図１に対応している。図１１は、本実施の形態による折り畳みラベル３１を袋１００に付着した状態を示す概略断面図であり、図５に対応している。図１０及び図１１において、図１及び図５中の要素と同一又は対応する要素には同一符号を付し、その重複する説明は省略する。
【００９４】
本実施の形態による折り畳みラベル３１が、図１乃至図６に示す折り畳みラベル１と異なる所は、ミシン目６ａ，６ｂがはみ出し部分４ａの付近に形成されている点のみである。
【００９５】
本実施の形態によっても、前記第１の実施の形態と同様の利点が得られる。
【００９６】
［第３の実施の形態］
図１２は、本発明の第３の実施の形態による折り畳みラベル４１を示す概略斜視図である。図１３は、図１２中のＣ−Ｃ’線に沿った概略断面図である。図１４は、図１２中のＤ−Ｄ’線に沿った概略断面図である。
【００９７】
この折り畳みラベル４１は、表裏の所定箇所に表示内容（図示せず）が記載された１枚のシート４２のみを用い当該シート４２を折り畳んで構成され、かつ、当該シート４２のいずれの箇所同士も接着されることなく構成されている。
【００９８】
そして、２本の折り曲げ線４３，４４により区画され重ね合わされた３つのシート片４５，４６，４７のうち、第１の折り曲げ線４３を介して隣り合って連続する第１及び第２のシート片４５，４６が、折り畳みラベル４１の折り畳み状態において、折り畳みラベル４１の上面側及び下面側にそれぞれ現れている。第３のシート片４７は、第２の折り曲げ線４４を介して第１のシート片４５と隣り合って連続している。第１及び第２の折り曲げ線４３，４４は、第１のシート片４５の互いに反対の側に位置している。
【００９９】
折り畳みラベル４１の上面側には、第１のシート片４５のみが現れている。折り畳みラベル４１の下面側には、第２のシート片４６の他に、第２のシート片４６から第１の折り曲げ線４３の側とは反対の側にはみ出したはみ出し部分４７ａをなす第３のシート片４７の一部が現れている。
【０１００】
第１のシート片４５には、第１のシート片４５を第１の折り曲げ線４３の側と第２の折り曲げ線４４の側とに分断するための２本のミシン目４８ａ，４８ｂが形成されている。本実施の形態では、２本のミシン目４８ａ，４８ｂによって、第１のシート片４５に帯状の切り取り部４５ｂが画成されている。もっとも、１本のミシン目４８ａのみを形成するだけでもよく、その場合でも、ミシン目４８ａで切断することで、第１のシート片４５を分断し得る。また、本実施の形態では、ミシン目４８ａ，４８ｂは、折り曲げ線４３の付近に形成されているが、第１のシート片４５を第１の折り曲げ線４３の側と第２の折り曲げ線４４の側とに分断できる位置であれば、ミシン目４８ａ，４８ｂの形成位置は特に限定されるものではない。
【０１０１】
そして、本実施の形態による折り畳みラベル４１では、当該折り畳みラベル４１の折り畳み状態において第１のシート片４５の一部を当該折り畳みラベル４１の下面側に露出させる孔４６ｃ，４７ｃが、シート４２の所定箇所に形成されている。
【０１０２】
本実施の形態では、孔４６ｃは第２のシート片４６に合計６個形成され、折り曲げ線４３，４４が延びる方向の一方側において折り曲げ線４３側から折り曲げ線４４側へ間隔をあけて３個の孔４６ｃが形成され、折り曲げ線４３，４４が延びる方向の他方側において折り曲げ線４３側から折り曲げ線４４側へ間隔をあけて３個の孔４６ｃが形成されている。また、孔４７ｃは第３のシート片４７に合計６個形成され、各孔４７ｃは折り畳みラベル４１の折り畳み状態において各孔４６ｃと重なる位置に配置されている。もっとも、本発明では、孔４６ｃ，４７ｃの個数や位置や形状は特に限定されるものではなく、例えば、前記６個の孔４６ｃ及び前記６個の孔４７ｃのうち、折り曲げ線４３に近い２個の孔４６ｃ及び２個の孔４７ｃのみを形成し、他の４個の孔４６ｃ及び他の４個の孔４７ｃは形成しなくてもよい。この場合であっても、折り畳みラベル４１が物品に接着されたときに、折り畳みラベル４１の展開前におけるシート片４５の物品側からの浮き上がりを低減する効果をそれなりに得ることができる。もっとも、実際には、孔４６ｃ，４７ｃの個数や位置や形状は、その浮き上がり低減効果が高まるように設定することが好ましい。なお、孔４６ｃ，４７ｃは丸孔に代えて、長穴等でもよい。
【０１０３】
また、本実施の形態による折り畳みラベル４１では、第１のシート片４５における孔４６ｃ，４７ｃに対応する領域に、剥離剤５０１が形成されている。本実施の形態では、剥離剤５０１は、第１のシート片４５の下面における孔４６ｃ，４７ｃ付近の領域のみに形成されているが、これ以外の領域にも形成してもよい。例えば、剥離剤５０１は、第１のシート片４５の下面の全体に形成してもよい。なお、必要に応じて、孔４６ｃ，４７ｃの周囲に相当する各シート片の領域に剥離剤を形成してもよい。
【０１０４】
シート４２としては、前述したシート２と同様に、各種材質のものを採用することができる。
【０１０５】
本実施の形態では、はみ出し部分４７ａの下面及びシート片４６の下面を除く領域には、表示内容が印刷等により記載されているが、その図示は省略している。
【０１０６】
図１５は、本実施の形態による折り畳みラベル４１を、物品としての容器である角底袋などの袋１００に付着した状態を示す概略断面図であり、図１３に対応している。
【０１０７】
この折り畳みラベル４１は、図１５に示すように、袋１００などの物品に付着される際に、はみ出し部分４７ａの下面及び第２のシート片４６の下面が、接着剤１０により袋１００に接着される。また、図面には示していないが、孔４６ｃ，４７ｃから剥離剤５０１を介して露出した第１のシート片４５の一部も、接着剤１０により袋１００に接着される。
【０１０８】
本実施の形態による折り畳みラベル４１は、シート４２のいずれの箇所同士も接着されることなく構成されているので、当該折り畳みラベル４１を袋１００などの物品に接着する前の状態（図１２乃至図１４参照）では、特別には、各シート片４５，４６，４７は折り畳み状態に保持されていない。しかしながら、図１５から理解できるように、はみ出し部分４７ａの下面及び第２のシート片４６の下面を袋１００などの物品に接着すると、各シート片４５，４６，４７は折り畳み状態に保持される。
【０１０９】
そして、消費者等が折り畳みラベル４１の全ての表示内容を見る場合には、ミシン目４８ａ，４８ｂに沿って切断して切り取り部４５ｂを切り取ると、当該折り畳みラベル４１を容易に展開することができる。
【０１１０】
このように、本実施の形態による折り畳みラベル４１は、１枚のシート４２のみを用い当該シート４２を折り畳んで構成されているにもかかわらず、当該シート４２のいずれの箇所同士も接着されていないので、製造工程が簡単となるとともに、接着剤塗布可能な製造装置を用いる必要がないので、コストを低減することができる。
【０１１１】
図１５に示す折り畳みラベル付き物品（本実施の形態では、折り畳みラベル４１が付着された袋１００）は、前述した図５に示す折り畳みラベル付き物品と同様に製造することができる。なお、図７又は図９に示すラベル貼り付け装置を用いて、折り畳みラベル４１を袋１００に貼り付ける際には、折り畳みラベル４１は、第２のシート片４６を外側にし第１のシート片４５を内側にして吸着ドラム２２に吸着されるとともに、はみ出し部分４７ａの側を吸着ドラム２２の回転方向Ｋ１の後側とし折り畳みラベル４１の折り曲げ線４３の側を吸着ドラム２２の回転方向Ｋ１の先側として吸着ドラム２２に吸着されるように、マガジン２１にセットされる。
【０１１２】
そして、本実施の形態による折り畳みラベル４１では、前述したように、孔４６ｃ，４７ｃから剥離剤５０１を介して露出した第１のシート片４５の一部も物品（ここでは、袋１００）に接着される。したがって、当該折り畳みラベル４１を付着する物品が袋１００のように高い剛性を有していなくて変形可能なものであっても、当該折り畳みラベル４１の展開前におけるシート片４５の物品側からの浮き上がりを低減することができる。このとき、孔４６ｃ，４７ｃから折り畳みラベル４１の図１２乃至図１４中の下面側に露出した第１のシート片４５の一部は、剥離剤５０１を介して物品に接着される。このため、その接着強度は比較的弱くなる。したがって、当該折り畳みラベル４１の展開時にはその接着部分を比較的容易に剥がすことができ、当該折り畳みラベル４１を容易に展開することができる。
【０１１３】
また、図９に示すラベル貼り付け装置を用いて、図１５に示す折り畳みラベル付き物品を製造する場合、孔４６ｃ，４７ｃが存在することによって、折り畳みラベル４１の吸着ドラム１２２に対する吸着状況が改善されるため、折り畳みラベル付き物品の製造効率が高まる。
【０１１４】
［第４の実施の形態］
図１６は、本発明の第４の実施の形態による折り畳みラベル５１を示す概略斜視図であり、図１２に対応している。図１７は、本実施の形態による折り畳みラベル５１を袋１００に付着した状態を示す概略断面図であり、図１５に対応している。図１６及び図１７において、図１２及び図１５中の要素と同一又は対応する要素には同一符号を付し、その重複する説明は省略する。
【０１１５】
本実施の形態による折り畳みラベル５１が、図１２乃至図１４に示す折り畳みラベル４１と異なる所は、ミシン目４８ａ，４８ｂが折り曲げ線４４の付近に形成されている点のみである。
【０１１６】
本実施の形態によっても、前記第３の実施の形態と同様の利点が得られる。
【０１１７】
［第５の実施の形態］
図１８は、本発明の第５の実施の形態による折り畳みラベル６１を示す概略斜視図である。図１９は、図１８中のＥ−Ｅ’線に沿った概略断面図である。図２０は、図１８中のＦ−Ｆ’線に沿った概略断面図である。
【０１１８】
この折り畳みラベル６１は、表裏の所定箇所に表示内容（図示せず）が記載された１枚のシート６２のみを用い当該シート６２を折り畳んで構成され、かつ、当該シート６２のいずれの箇所同士も接着されることなく構成されている。
【０１１９】
そして、３本の折り曲げ線６３，６４，６５により区画され重ね合わされた４つのシート片６６，６７，６８，６９のうち、第１の折り曲げ線６３を介して隣り合って連続する第１及び第２のシート片６６，６７が、折り畳みラベル６１の折り畳み状態において、折り畳みラベル６１の上面側及び下面側にそれぞれ現れている。第３のシート片６８は、第２の折り曲げ線６４を介して第１のシート片６６と隣り合って連続している。第１及び第２の折り曲げ線６３，６４は、第１のシート片６６の互いに反対の側に位置している。
【０１２０】
折り畳みラベル６１の上面側には、第１のシート片６６のみが現れている。折り畳みラベル６１の下面側には、第２のシート片６７の他に、第２のシート片６７から第１の折り曲げ線６３の側とは反対の側にはみ出したはみ出し部分６８ａをなす第３のシート片６８の一部が現れている。
【０１２１】
第１のシート片６６には、第１のシート片６６を第１の折り曲げ線６３の側と第２の折り曲げ線６４の側とに分断するための２本のミシン目７０ａ，７０ｂが形成されている。本実施の形態では、２本のミシン目７０ａ，７０ｂによって、第１のシート片６６に帯状の切り取り部６６ｂが画成されている。もっとも、１本のミシン目７０ａのみを形成するだけでもよく、その場合でも、ミシン目７０ａで切断することで、第１のシート片６６を分断し得る。また、本実施の形態では、ミシン目７０ａ，７０ｂは、折り曲げ線６３の付近に形成されているが、第１のシート片６６を第１の折り曲げ線６３の側と第２の折り曲げ線６４の側とに分断できる位置であれば、ミシン目７０ａ，７０ｂの形成位置は特に限定されるものではない。
【０１２２】
そして、本実施の形態による折り畳みラベル６１では、当該折り畳みラベル６１の折り畳み状態において第１のシート片６６の一部を当該折り畳みラベル６１の下面側に露出させる孔６７ｃ，６８ｃ，６９ｃが、シート６２の所定箇所に形成されている。
【０１２３】
本実施の形態では、孔６７ｃは第２のシート片６７に合計６個形成され、折り曲げ線６３〜６５が延びる方向の一方側において折り曲げ線６３側から折り曲げ線６４側へ間隔をあけて３個の孔６７ｃが形成され、折り曲げ線６３〜６５が延びる方向の他方側において折り曲げ線６３側から折り曲げ線６４側へ間隔をあけて３個の孔６７ｃが形成されている。また、孔６８ｃは第３のシート片６８に合計６個形成され、各孔６８ｃは折り畳みラベル６１の折り畳み状態において各孔６７ｃと重なる位置に配置されている。さらに、孔６９ｃはシート片６９に合計６個形成され、各孔６９ｃは折り畳みラベル６１の折り畳み状態において各孔６７ｃと重なる位置に配置されている。もっとも、本発明では、孔６７ｃ，６８ｃ，６９ｃの個数や位置や形状は特に限定されるものではなく、例えば、前記６個の孔６７ｃ、前記６個の孔６８ｃ及び前記前記６個の孔６９ｃのうち、折り曲げ線６３に近い２個の孔６７ｃ、２個の６８ｃ及び２個の孔６９ｃのみを形成し、他の４個の孔６７ｃ、４個の孔６８ｃ及び他の４個の孔６９ｃは形成しなくてもよい。この場合であっても、折り畳みラベル６１が物品に接着されたときに、折り畳みラベル６１の展開前におけるシート片６６の物品側からの浮き上がりを低減する効果をそれなりに得ることができる。もっとも、実際には、孔６７ｃ，６８ｃ，６９ｃの個数や位置や形状は、その浮き上がり低減効果が高まるように設定することが好ましい。なお、孔６７ｃ，６８ｃ，６９ｃは丸孔に代えて、長穴等でもよい。
【０１２４】
また、本実施の形態による折り畳みラベル６１では、第１のシート片６６における孔６７ｃ，６８ｃ，６９ｃに対応する領域に、剥離剤５０１が形成されている。本実施の形態では、剥離剤５０１は、第１のシート片６６の下面における孔６７ｃ，６８ｃ，６９ｃ付近の領域のみに形成されているが、これ以外の領域にも形成してもよい。例えば、剥離剤５０１は、第１のシート片６６の下面の全体に形成してもよい。なお、必要に応じて、孔６７ｃ，６８ｃ，６９ｃの周囲に相当する各シート片の領域に剥離剤を形成してもよい。
【０１２５】
シート６２としては、前述したシート２と同様に、各種材質のものを採用することができる。
【０１２６】
本実施の形態では、はみ出し部分６８ａの下面及びシート片６７の下面を除く領域には、表示内容が印刷等により記載されているが、その図示は省略している。
【０１２７】
図２１は、本実施の形態による折り畳みラベル６１を、物品としての容器である角底袋などの袋１００に付着した状態を示す概略断面図であり、図１９に対応している。
【０１２８】
この折り畳みラベル６１は、図２１に示すように、袋１００などの物品に付着される際に、はみ出し部分６８ａの下面及び第２のシート片６７の下面が、接着剤１０により袋１００に接着される。また、図面には示していないが、孔６７ｃ，６８ｃ，６９ｃから剥離剤５０１を介して露出した第１のシート片６６の一部も、接着剤１０により袋１００に接着される。
【０１２９】
本実施の形態による折り畳みラベル６１は、シート６２のいずれの箇所同士も接着されることなく構成されているので、当該折り畳みラベル６１を袋１００などの物品に接着する前の状態（図１８乃至図２０参照）では、特別には、各シート片６６，６７，６８，６９は折り畳み状態に保持されていない。しかしながら、図２１から理解できるように、はみ出し部分６８ａの下面及び第２のシート片６７の下面を袋１００などの物品に接着すると、各シート片６６，６７，６８，６９は折り畳み状態に保持される。
【０１３０】
そして、消費者等が折り畳みラベル６１の全ての表示内容を見る場合には、ミシン目７０ａ，７０ｂに沿って切断して切り取り部６６ｂを切り取ると、当該折り畳みラベル６１を容易に展開することができる。
【０１３１】
このように、本実施の形態による折り畳みラベル６１は、１枚のシート６２のみを用い当該シート６２を折り畳んで構成されているにもかかわらず、当該シート６２のいずれの箇所同士も接着されていないので、製造工程が簡単となるとともに、接着剤塗布可能な製造装置を用いる必要がないので、コストを低減することができる。
【０１３２】
図２１に示す折り畳みラベル付き物品（本実施の形態では、折り畳みラベル６１が付着された袋１００）は、前述した図５に示す折り畳みラベル付き物品と同様に製造することができる。なお、図７又は図９に示すラベル貼り付け装置を用いて、折り畳みラベル６１を袋１００に貼り付ける際には、折り畳みラベル６１は、第２のシート片６７を外側にし第１のシート片６６を内側にして吸着ドラム２２に吸着されるとともに、はみ出し部分６８ａの側を吸着ドラム２２の回転方向Ｋ１の後側とし折り畳みラベル６１の折り曲げ線６３の側を吸着ドラム２２の回転方向Ｋ１の先側として吸着ドラム２２に吸着されるように、マガジン２１にセットされる。
【０１３３】
そして、本実施の形態による折り畳みラベル６１では、前述したように、孔６７ｃ，６８ｃ，６９ｃから剥離剤５０１を介して露出した第１のシート片６６の一部も物品（ここでは、袋１００）に接着される。したがって、当該折り畳みラベル６１を付着する物品が袋１００のように高い剛性を有していなくて変形可能なものであっても、当該折り畳みラベル６１の展開前におけるシート片６６の物品側からの浮き上がりを低減することができる。このとき、孔６７ｃ，６８ｃ，６９ｃから折り畳みラベル６１の図１８乃至図２０中の下面側に露出した第１のシート片６６の一部は、剥離剤５０１を介して物品に接着される。このため、その接着強度は比較的弱くなる。したがって、当該折り畳みラベル６１の展開時にはその接着部分を比較的容易に剥がすことができ、当該折り畳みラベル６１を容易に展開することができる。
【０１３４】
また、図９に示すラベル貼り付け装置を用いて、図２１に示す折り畳みラベル付き物品を製造する場合、孔６７ｃ，６８ｃ，６９ｃが存在することによって、折り畳みラベル６１の吸着ドラム１２２に対する吸着状況が改善されるため、折り畳みラベル付き物品の製造効率が高まる。
【０１３５】
［第６の実施の形態］
図２２は、本発明の第６の実施の形態による折り畳みラベル７１を示す概略斜視図であり、図１８に対応している。図２３は、本実施の形態による折り畳みラベル７１を袋１００に付着した状態を示す概略断面図であり、図２１に対応している。図２２及び図２３において、図１８及び図２１中の要素と同一又は対応する要素には同一符号を付し、その重複する説明は省略する。
【０１３６】
本実施の形態による折り畳みラベル７１が、図１８乃至図２０に示す折り畳みラベル６１と異なる所は、ミシン目７０ａ，７０ｂが折り曲げ線６４の付近に形成されている点のみである。
【０１３７】
本実施の形態によっても、前記第５の実施の形態と同様の利点が得られる。
【０１３８】
［第７の実施の形態］
図２４は、本発明の第７の実施の形態による折り畳みラベル８１を示す概略斜視図であり、図１に対応している。図２５は、図２４中のＧ−Ｇ’線に沿った概略断面図である。図２６は、図２４中のＨ−Ｈ’線に沿った概略断面図である。図２７は、本実施の形態による折り畳みラベル８１を示す折り畳み前の概略展開図である。図２４乃至図２７において、図１乃至図４中の要素と同一又は対応する要素には同一符号を付し、その重複する説明は省略する。
【０１３９】
本実施の形態による折り畳みラベル８１が、図１乃至図４に示す折り畳みラベル１と異なる所は、ミシン目６ａ，６ｂが形成されておらず、その代わりに、はみ出し部分４ａの下面に剥離剤８２が形成されている点のみである。
【０１４０】
図２８は、本実施の形態による折り畳みラベル８１を、物品としての容器である角底袋などの袋１００に付着した状態を示す概略断面図であり、図２５に対応している。
【０１４１】
本実施の形態による折り畳みラベル８１は、シート２のいずれの箇所同士も接着されることなく構成されているので、当該折り畳みラベル８１を袋１００などの物品に接着する前の状態（図２４乃至図２６参照）では、特別には、各シート片４，５は折り畳み状態に保持されていない。しかしながら、図２８から理解できるように、はみ出し部分４ａの下面及び第２のシート片５の下面を袋１００などの物品に接着すると、各シート片４，５は折り畳み状態に保持される。
【０１４２】
そして、はみ出し部分４ａの下面には剥離剤８２が形成されているので、はみ出し部分４ａは、剥離剤８２を介して接着剤１０によって袋１００に接着されることから、その接着強度は比較的弱くなる。したがって、はみ出し部分４ａを袋１００から比較的容易に剥がすことができる。消費者等が折り畳みラベル８１の全ての表示内容を見る場合には、はみ出し部分４ａを袋１００から剥がすと、図２９に示すように、当該折り畳みラベル８１を容易に展開することができる。図２９は、袋１００に付着された状態において折り畳みラベル８１を展開した状態を示す概略断面図であり、図２８に対応している。
【０１４３】
本実施の形態によっても、前記第１の実施の形態と同様の利点が得られる。
【０１４４】
図２８に示す折り畳みラベル付き物品（本実施の形態では、折り畳みラベル８１が付着された袋１００）は、前述した図５に示す折り畳みラベル付き物品と同様に製造することができる。
【０１４５】
［第８の実施の形態］
図３０は、本発明の第８の実施の形態による折り畳みラベル９１を示す概略斜視図であり、図１２に対応している。図３１は、図３０中のＪ−Ｊ’線に沿った概略断面図である。図３２は、図３０中のＫ−Ｋ’線に沿った概略断面図である。図３０乃至図３２において、図１２乃至図１４中の要素と同一又は対応する要素には同一符号を付し、その重複する説明は省略する。
【０１４６】
本実施の形態による折り畳みラベル９１が、図１２乃至図１４に示す折り畳みラベル４１と異なる所は、ミシン目４８ａ，４８ｂが形成されておらず、その代わりに、はみ出し部分４７ａの下面に剥離剤９２が形成されている点のみである。
【０１４７】
図３３は、本実施の形態による折り畳みラベル９１を、物品としての容器である角底袋などの袋１００に付着した状態を示す概略断面図であり、図３１に対応している。
【０１４８】
本実施の形態による折り畳みラベル９１は、シート４２のいずれの箇所同士も接着されることなく構成されているので、当該折り畳みラベル９１を袋１００などの物品に接着する前の状態（図３０乃至図３２参照）では、特別には、各シート片４５，４６，４７は折り畳み状態に保持されていない。しかしながら、図３３から理解できるように、はみ出し部分４７ａの下面及び第２のシート片４６の下面を袋１００などの物品に接着すると、各シート片４５，４６，４７は折り畳み状態に保持される。
【０１４９】
そして、はみ出し部分４７ａの下面には剥離剤９２が形成されているので、はみ出し部分４７ａは、剥離剤９２を介して接着剤１０によって袋１００に接着されることから、その接着強度は比較的弱くなる。したがって、はみ出し部分４７ａを袋１００から比較的容易に剥がすことができる。消費者等が折り畳みラベル９１の全ての表示内容を見る場合には、はみ出し部分４７ａを袋１００から剥がすと、当該折り畳みラベル９１を容易に展開することができる。
【０１５０】
本実施の形態によっても、前記第３の実施の形態と同様の利点が得られる。
【０１５１】
図３３に示す折り畳みラベル付き物品（本実施の形態では、折り畳みラベル９１が付着された袋１００）は、前述した図１５に示す折り畳みラベル付き物品と同様に製造することができる。
【０１５２】
［第９の実施の形態］
図３４は、本発明の第９の実施の形態による折り畳みラベル１１１を示す概略斜視図であり、図１８に対応している。図３５は、図３４中のＬ−Ｌ’線に沿った概略断面図である。図３６は、図３４中のＭ−Ｍ’線に沿った概略断面図である。図３４乃至図３６において、図１８乃至図２０中の要素と同一又は対応する要素には同一符号を付し、その重複する説明は省略する。
【０１５３】
本実施の形態による折り畳みラベル１１１が、図１８乃至図２０に示す折り畳みラベル６１と異なる所は、ミシン目７０ａ，７０ｂが形成されておらず、その代わりに、はみ出し部分６８ａの下面に剥離剤１１２が形成されている点のみである。
【０１５４】
図３７は、本実施の形態による折り畳みラベル１１１を、物品としての容器である角底袋などの袋１００に付着した状態を示す概略断面図であり、図３５に対応している。
【０１５５】
本実施の形態による折り畳みラベル１１１は、シート６２のいずれの箇所同士も接着されることなく構成されているので、当該折り畳みラベル１１１を袋１００などの物品に接着する前の状態（図３４乃至図３６参照）では、特別には、各シート片６６，６７，６８，６９は折り畳み状態に保持されていない。しかしながら、図３７から理解できるように、はみ出し部分６８ａの下面及び第２のシート片６７の下面を袋１００などの物品に接着すると、各シート片６６，６７，６８，６９は折り畳み状態に保持される。
【０１５６】
そして、はみ出し部分６８ａの下面には剥離剤１１２が形成されているので、はみ出し部分６８ａは、剥離剤１１２を介して接着剤１０によって袋１００に接着されることから、その接着強度は比較的弱くなる。したがって、はみ出し部分６８ａを袋１００から比較的容易に剥がすことができる。消費者等が折り畳みラベル１１１の全ての表示内容を見る場合には、はみ出し部分６８ａを袋１００から剥がすと、当該折り畳みラベル１１１を容易に展開することができる。
【０１５７】
本実施の形態によっても、前記第５の実施の形態と同様の利点が得られる。
【０１５８】
図３７に示す折り畳みラベル付き物品（本実施の形態では、折り畳みラベル１１１が付着された袋１００）は、前述した図２１に示す折り畳みラベル付き物品と同様に製造することができる。
【０１５９】
［第１０の実施の形態］
図３８は、本発明の第１０の実施の形態による折り畳みラベル１４１を示す概略斜視図である。図３９は、図３８中のＮ−Ｎ’線に沿った概略断面図である。図４０は、図３８中のＯ−Ｏ’線に沿った概略断面図である。
【０１６０】
この折り畳みラベル１４１は、表裏の所定箇所に表示内容（図示せず）が記載された１枚のシート１４２のみを用い当該シート１４２を折り畳んで構成され、かつ、当該シート１４２のいずれの箇所同士も接着されることなく構成されている。
【０１６１】
そして、２本の折り曲げ線１４３，１４４により区画され重ね合わされた３つのシート片１４５，１４６，１４７のうち、第１の折り曲げ線１４３を介して隣り合って連続する第１及び第２のシート片１４５，１４６が、折り畳みラベル１４１の折り畳み状態において、折り畳みラベル１４１の上面側及び下面側にそれぞれ現れている。第３のシート片１４７は、第２の折り曲げ線１４４を介して第２のシート片１４６と隣り合って連続している。第１及び第２の折り曲げ線１４３，１４４は、第２のシート片１４６の互いに反対の側に位置している。
【０１６２】
折り畳みラベル１４１の上面側には、第１のシート片１４５のみが現れている。折り畳みラベル１４１の下面側には、第２のシート片１４６の他に、第２のシート片１４６から第１の折り曲げ線１４３の側とは反対の側にはみ出したはみ出し部分１４５ａをなす第１のシート片１４５の一部が現れている。
【０１６３】
第１のシート片１４５には、第１のシート片１４５を第１の折り曲げ線１４３の側とはみ出し部分１４５ａの側とに分断するための２本のミシン目１４８ａ，１４８ｂが形成されている。本実施の形態では、２本のミシン目１４８ａ，１４８ｂによって、第１のシート片１４５に帯状の切り取り部１４５ｂが画成されている。もっとも、１本のミシン目１４８ａのみを形成するだけでもよく、その場合でも、ミシン目１４８ａで切断することで、第１のシート片１４５を分断し得る。また、本実施の形態では、ミシン目１４８ａ，１４８ｂは、はみ出し部分１４５ａの付近に形成されているが、第１のシート片１４５を第１の折り曲げ線１４３の側とはみ出し部分１４５ａの側とに分断できる位置であれば、ミシン目１４８ａ，１４８ｂの形成位置は特に限定されるものではない。
【０１６４】
そして、本実施の形態による折り畳みラベル１４１では、当該折り畳みラベル１４１の折り畳み状態において第１のシート片１４５の一部を当該折り畳みラベル１４１の下面側に露出させる孔１４６ｃ，１４７ｃが、シート１４２の所定箇所に形成されている。
【０１６５】
本実施の形態では、孔１４６ｃは第２のシート片１４６に合計６個形成され、折り曲げ線１４３，１４４が延びる方向の一方側において折り曲げ線１４３側から折り曲げ線１４４側へ間隔をあけて３個の孔１４６ｃが形成され、折り曲げ線１４３，１４４が延びる方向の他方側において折り曲げ線１４３側から折り曲げ線１４４側へ間隔をあけて３個の孔１４６ｃが形成されている。また、孔１４７ｃは第３のシート片１４７に合計６個形成され、各孔１４７ｃは折り畳みラベル１４１の折り畳み状態において各孔１４６ｃと重なる位置に配置されている。もっとも、本発明では、孔１４６ｃ，１４７ｃの個数や位置や形状は特に限定されるものではなく、例えば、前記６個の孔１４６ｃ及び前記６個の孔１４７ｃのうち、折り曲げ線１４３に近い２個の孔１４６ｃ及び２個の孔１４７ｃのみを形成し、他の４個の孔１４６ｃ及び他の４個の孔１４７ｃは形成しなくてもよい。この場合であっても、折り畳みラベル１４１が物品に接着されたときに、折り畳みラベル１４１の展開前におけるシート片１４５の物品側からの浮き上がりを低減する効果をそれなりに得ることができる。もっとも、実際には、孔１４６ｃ，１４７ｃの個数や位置や形状は、その浮き上がり低減効果が高まるように設定することが好ましい。なお、孔１４６ｃ，１４７ｃは丸孔に代えて、長穴等でもよい。
【０１６６】
また、本実施の形態による折り畳みラベル１４１では、第１のシート片１４５における孔１４６ｃ，１４７ｃに対応する領域に、剥離剤５０１が形成されている。本実施の形態では、剥離剤５０１は、第１のシート片１４５の下面における孔１４６ｃ，１４７ｃ付近の領域のみに形成されているが、これ以外の領域にも形成してもよい。例えば、剥離剤５０１は、第１のシート片１４５の下面の全体に形成してもよい。なお、必要に応じて、孔１４６ｃ，１４７ｃの周囲に相当する各シート片の領域に剥離剤を形成してもよい。
【０１６７】
シート１４２としては、前述したシート２と同様に、各種材質のものを採用することができる。
【０１６８】
本実施の形態では、はみ出し部分１４５ａの下面及びシート片１４６の下面を除く領域には、表示内容が印刷等により記載されているが、その図示は省略している。
【０１６９】
図４１は、本実施の形態による折り畳みラベル１４１を、物品としての容器である角底袋などの袋１００に付着した状態を示す概略断面図であり、図３９に対応している。
【０１７０】
この折り畳みラベル１４１は、図４１に示すように、袋１００などの物品に付着される際に、はみ出し部分１４５ａの下面及び第２のシート片１４６の下面が、接着剤１０により袋１００に接着される。また、図面には示していないが、孔１４６ｃ，１４７ｃから剥離剤５０１を介して露出した第１のシート片１４５の一部も、接着剤１０により袋１００に接着される。
【０１７１】
本実施の形態による折り畳みラベル１４１は、シート１４２のいずれの箇所同士も接着されることなく構成されているので、当該折り畳みラベル１４１を袋１００などの物品に接着する前の状態（図３８乃至図４０参照）では、特別には、各シート片１４５，１４６，１４７は折り畳み状態に保持されていない。しかしながら、図４１から理解できるように、はみ出し部分１４５ａの下面及び第２のシート片１４６の下面を袋１００などの物品に接着すると、各シート片１４５，１４６，１４７は折り畳み状態に保持される。
【０１７２】
そして、消費者等が折り畳みラベル１４１の全ての表示内容を見る場合には、ミシン目１４８ａ，１４８ｂに沿って切断して切り取り部１４５ｂを切り取ると、当該折り畳みラベル１４１を容易に展開することができる。
【０１７３】
このように、本実施の形態による折り畳みラベル１４１は、１枚のシート１４２のみを用い当該シート１４２を折り畳んで構成されているにもかかわらず、当該シート１４２のいずれの箇所同士も接着されていないので、製造工程が簡単となるとともに、接着剤塗布可能な製造装置を用いる必要がないので、コストを低減することができる。
【０１７４】
図４１に示す折り畳みラベル付き物品（本実施の形態では、折り畳みラベル１４１が付着された袋１００）は、前述した図５に示す折り畳みラベル付き物品と同様に製造することができる。なお、図７又は図９に示すラベル貼り付け装置を用いて、折り畳みラベル１４１を袋１００に貼り付ける際には、折り畳みラベル１４１は、第２のシート片１４６を外側にし第１のシート片１４５を内側にして吸着ドラム２２に吸着されるとともに、はみ出し部分１４５ａの側を吸着ドラム２２の回転方向Ｋ１の後側とし折り畳みラベル１４１の折り曲げ線１４３の側を吸着ドラム２２の回転方向Ｋ１の先側として吸着ドラム２２に吸着されるように、マガジン２１にセットされる。
【０１７５】
そして、本実施の形態による折り畳みラベル１４１では、前述したように、孔１４６ｃ，１４７ｃから剥離剤５０１を介して露出した第１のシート片１４５の一部も物品（ここでは、袋１００）に接着される。したがって、当該折り畳みラベル１４１を付着する物品が袋１００のように高い剛性を有していなくて変形可能なものであっても、当該折り畳みラベル４１の展開前におけるシート片１４５の物品側からの浮き上がりを低減することができる。このとき、孔１４６ｃ，１４７ｃから折り畳みラベル４１の図３８乃至図４０中の下面側に露出した第１のシート片１４５の一部は、剥離剤５０１を介して物品に接着される。このため、その接着強度は比較的弱くなる。したがって、当該折り畳みラベル１４１の展開時にはその接着部分を比較的容易に剥がすことができ、当該折り畳みラベル１４１を容易に展開することができる。
【０１７６】
また、図９に示すラベル貼り付け装置を用いて、図４１に示す折り畳みラベル付き物品を製造する場合、孔１４６ｃ，１４７ｃが存在することによって、折り畳みラベル４１の吸着ドラム１２２に対する吸着状況が改善されるため、折り畳みラベル付き物品の製造効率が高まる。
【０１７７】
［第１１の実施の形態］
図４２は、本発明の第１１の実施の形態による折り畳みラベル１５１を示す概略斜視図であり、図３８に対応している。図４３は、図４２中のＰ−Ｐ’線に沿った概略断面図である。図４４は、図４２中のＱ−Ｑ’線に沿った概略断面図である。図４２乃至図４４において、図３８乃至図４０中の要素と同一又は対応する要素には同一符号を付し、その重複する説明は省略する。
【０１７８】
本実施の形態による折り畳みラベル１５１が、図３８乃至図４０に示す折り畳みラベル１４１と異なる所は、ミシン目１４８ａ，１４８ｂが形成されておらず、その代わりに、はみ出し部分１４５ａの下面に剥離剤１５２が形成されている点のみである。
【０１７９】
図４５は、本実施の形態による折り畳みラベル１５１を、物品としての容器である角底袋などの袋１００に付着した状態を示す概略断面図であり、図４１に対応している。
【０１８０】
本実施の形態による折り畳みラベル１５１は、シート１４２のいずれの箇所同士も接着されることなく構成されているので、当該折り畳みラベル１５１を袋１００などの物品に接着する前の状態（図４２及び図４３参照）では、特別には、各シート片１４５，１４６，１４７は折り畳み状態に保持されていない。しかしながら、図４５から理解できるように、はみ出し部分１４５ａの下面及び第２のシート片１４６の下面を袋１００などの物品に接着すると、各シート片１４５，１４６，１４７は折り畳み状態に保持される。
【０１８１】
そして、はみ出し部分１４５ａの下面には剥離剤１５２が形成されているので、はみ出し部分１４５ａは、剥離剤１５２を介して接着剤１０によって袋１００に接着されることから、その接着強度は比較的弱くなる。したがって、はみ出し部分１４５ａを袋１００から比較的容易に剥がすことができる。消費者等が折り畳みラベル１５１の全ての表示内容を見る場合には、はみ出し部分１４５ａを袋１００から剥がすと、当該折り畳みラベル１５１を容易に展開することができる。
【０１８２】
本実施の形態によっても、前記第１０の実施の形態と同様の利点が得られる。
【０１８３】
図４５に示す折り畳みラベル付き物品（本実施の形態では、折り畳みラベル１５１が付着された袋１００）は、前述した図４１に示す折り畳みラベル付き物品と同様に製造することができる。
【０１８４】
［第１２の実施の形態］
図４６は、本発明の第１２の実施の形態による折り畳みラベル付き物品を示す概略斜視図である。図４７は、図４６に示す折り畳みラベル付き物品の概略横断面図である。
【０１８５】
本実施の形態による折り畳みラベル付き物品は、前述した図１０に示す折り畳みラベル３１を付着したボトル１０１である。本実施の形態では、図４７からわかるように、折り畳みラベル３１の図１０中の左右方向の寸法は、ボトル１０１の外周面の１周分よりも長く設定されているが、１周を越える分の長さは比較的短く設定されている。
【０１８６】
本実施の形態では、折り畳みラベル３１の図１０中の上面側を外側とするとともに、折り曲げ線３を巻き付け開始端部として、ボトル１０１の胴部の外周面に１周よりも多く巻き付けられている。折り畳みラベル３１の図１０中の下面側の全体に接着剤１０が設けられ、折り畳みラベル３１の図１０中の下面側の全体がそれぞれ対面する箇所に接着されている。
【０１８７】
本実施の形態のように折り畳みラベル３１をボトル１０１に接着するには、基本的に、図７又は図９に示すラベル貼り付け装置を用いることができる。ただし、搬送機２６は、ボトル１０１に合わせて適宜変更される。
【０１８８】
本実施の形態では、図４６及び図４７に示すように、接着剤１０によって各シート片４，５は折り畳み状態に保持される。そして、消費者等が折り畳みラベル３１の全ての表示内容を見る場合には、ミシン目６ａ，６ｂに沿って切断して切り取り部４ｂを切り取ると、当該折り畳みラベル３１を容易に展開することができる。
【０１８９】
このように、本実施の形態によっても、１枚のシート２のみを用い当該シート２を折り畳んで構成されているにもかかわらず、当該シート２のいずれの箇所同士も接着されていないので、製造工程が簡単となるとともに、接着剤塗布可能な製造装置を用いる必要がないので、コストを低減することができる。また、本実施の形態では、折り畳みラベル３１の一周を超える部分が折り畳みラベル３１の一周目の部分に接着剤１０で接着されるので、ボトル１０１の外周の径が小さくても、接着剤１０が乾燥して固化する前に各シート片が浮き上がってくるようなおそれがなくなる。
【０１９０】
［第１３の実施の形態］
図４８は、本発明の第１３の実施の形態による折り畳みラベル付き物品の概略横断面図であり、図４７に対応している。図４８において、図４７中の要素と同一又は対応する要素には同一符号を付し、その重複する説明は省略する。
【０１９１】
本実施の形態による折り畳みラベル付き物品も、前記第１２の実施の形態による折り畳みラベル付き物品と同様に、前述した図１０に示す折り畳みラベル３１を付着したボトル１０１である。本実施の形態が前記第１２の実施の形態と異なる所は、次の２つの相違点のみである。第１に、本実施の形態では、折り畳みラベル３１がボトル１０１の１周分の長さを超える長さが比較的長く設定され、折り畳みラベル３１がボトル１０１に約１．５周巻き付けられている。第２に、本実施の形態では、接着剤１０の塗布領域が、折り畳みラベル３１の図１０中の下面側の全体ではなく、折り曲げ線３からボトル１０１の１周分よりもやや短い位置までの領域、及び、はみ出し部分４ａの領域のみとされている。
【０１９２】
本実施の形態によれば、前記第１２の実施の形態と同様の利点が得られる他、前述した２つの相違点によって、表示内容を記載し得る領域が大幅に拡大するという利点も得られる。本実施の形態では、折り畳みラベル３１の１周目と２周目とが重なっている領域における１周目のシート片４の外側面及び２周目のシート片５の内側面にも、表示内容を記載し得る。
【０１９３】
なお、本実施の形態において、折り畳みラベル３１をより長く構成することで、折り畳みラベル３１を２周以上ボトル１０１に巻き付けることも可能である。
【０１９４】
なお、折り畳みラベルをボトル１０１に１周よりも多く巻き付けるに際し、前記第１２の実施の形態や前記第１３の実施の形態において、折り畳みラベル３１に代えて、例えば、図１６に示す折り畳みラベル５１、図２２に示す折り畳みラベル７１あるいは図３８及び図３９に示す折り畳みラベル１４１を用いてもよい。
【０１９５】
本実施の形態のように折り畳みラベル３１をボトル１０１に接着するには、基本的に、図７又は図９に示すラベル貼り付け装置を用いることができる。ただし、搬送機２６は、ボトル１０１に合わせて適宜変更される。また、塗布ローラ２５として、接着剤１０の塗布領域に合わせた凹凸形状を有するものが用いられる。
【０１９６】
［第１４の実施の形態］
図４９は、本発明の第１４の実施の形態による折り畳みラベル付き物品の概略横断面図であり、図４７に対応している。図４９において、図４７中の要素と同一又は対応する要素には同一符号を付し、その重複する説明は省略する。
【０１９７】
本実施の形態による折り畳みラベル付き物品は、図１０に示す折り畳みラベル３１に代えて、前述した図２４乃至図２７に示す折り畳みラベル８１を付着したボトル１０１であるが、前記第１２の実施の形態と同様に、折り畳みラベル８１がボトル１０１に１周よりも多く巻き付けられている。
【０１９８】
本実施の形態によっても、前記第１２の実施の形態と同様の利点が得られる。
【０１９９】
［第１５の実施の形態］
図５０は、本発明の第１５の実施の形態による折り畳みラベル付き物品の概略横断面図であり、図４８に対応している。図５０において、図４８中の要素と同一又は対応する要素には同一符号を付し、その重複する説明は省略する。
【０２００】
本実施の形態による折り畳みラベル付き物品は、図１０に示す折り畳みラベル３１に代えて、前述した図２４乃至図２７に示す折り畳みラベル８１を付着したボトル１０１であるが、前記第１３の実施の形態と同様に、折り畳みラベル８１がボトル１０１に１周よりも多く巻き付けられている。
【０２０１】
本実施の形態によっても、前記第１３の実施の形態と同様の利点が得られる。
【０２０２】
なお、折り畳みラベルをボトル１０１に１周よりも多く巻き付けるに際し、前記第１４の実施の形態や前記第１５の実施の形態において、折り畳みラベル８１に代えて、例えば、図３０乃至図３２に示す折り畳みラベル９１、図３４乃至図３６に示す折り畳みラベル１１１あるいは図４２乃至図４４に示す折り畳みラベル１５１を用いてもよい。
【０２０３】
［第１６の実施の形態］
図５１は、本発明の第１６の実施の形態による折り畳みラベル１６１を示す概略斜視図であり、図１０に対応している。図５２は、図５１中のＲ−Ｒ’線に沿った概略断面図である。図５３は、図５１中のＳ−Ｓ’線に沿った概略断面図である。図５４は、本実施の形態による折り畳みラベル１６１を示す折り畳み前の概略展開図である。図５１乃至図５４において、図１０及び図１乃至図４中の要素と同一又は対応する要素には同一符号を付し、その重複する説明は省略する。
【０２０４】
本実施の形態による折り畳みラベル１６１が、図１０に示す折り畳みラベル３１と異なる所は、次の２つの相違点のみである。第１に、本実施の形態では、第１のシート片４を折り曲げ線３の側とその反対側とに分断するためのミシン目６ａ，６ｂが、第１のシート片４のはみ出し部分４ａに形成されている。これにより、ミシン目６ａ，６ｂが画成する帯状の切り取り部４ｂは、はみ出し部分４ａの一部のみを含んだものとなっている。第２に、本実施の形態では、切り取り部４ｂの下面側に、切り取り部４ｂの付近において剥離剤１６２が形成されている。剥離剤１６２は、第１のシート片４のはみ出し部分４ａの端部（折り曲げ線３と反対側の端部）に沿った領域には、形成されていない。
【０２０５】
図５５は、本実施の形態による折り畳みラベル１６１をボトル１０１に付着した状態を示す概略斜視図である。図５６は、図５５に示す折り畳みラベル付き物品の概略横断面図である。本例では、図５６からわかるように、折り畳みラベル１６１の図５２中の左右方向の寸法は、ボトル１０１の外周面の１周分よりも長く設定されている。また、図５２中の左右方向の折り曲げ線３からミシン目６ａまでの長さは、ほぼボトル１０１の外周面の１周分に設定されている。
【０２０６】
本例では、折り畳みラベル１６１の図５２中の上面側を外側とするとともに、折り曲げ線３を巻き付け開始端部として、ボトル１０１の胴部の外周面に１周よりも多く巻き付けられている。折り畳みラベル１６１の図５２中の下面側の全体に接着剤１０が設けられ、折り畳みラベル１６１の図５２中の下面側の全体がそれぞれ対面する箇所に接着されている。
【０２０７】
本実施の形態のように折り畳みラベル１６１をボトル１０１に接着するには、基本的に、図７又は図９に示すラベル貼り付け装置を用いることができる。ただし、搬送機２６は、ボトル１０１に合わせて適宜変更される。
【０２０８】
本実施の形態では、図５５及び図５６に示すように、接着剤１０によって各シート片４，５は折り畳み状態に保持される。そして、消費者等が折り畳みラベル１６１の全ての表示内容を見る場合には、ミシン目６ａ，６ｂに沿って切断して切り取り部４ｂを切り取ると、当該折り畳みラベル１６１を容易に展開することができる。切り取り部４ｂの下面には剥離剤１６２が形成されているので、切り取り部４ｂは、剥離剤１６２を介して接着剤１０によってボトル１０１に接着されている。したがって、切り取り部４ｂを比較的容易に剥がすことができ、これにより切り取り部４ｂの切り取りが可能である。
【０２０９】
このように、本実施の形態によっても、１枚のシート２のみを用い当該シート２を折り畳んで構成されているにもかかわらず、当該シート２のいずれの箇所同士も接着されていないので、製造工程が簡単となるとともに、接着剤塗布可能な製造装置を用いる必要がないので、コストを低減することができる。また、本実施の形態では、折り畳みラベル１６１の一周を超える部分が折り畳みラベル１６１の一周目の部分に接着剤１０で接着されるので、ボトル１０１の外周の径が小さくても、接着剤１０が乾燥して固化する前に各シート片が浮き上がってくるようなおそれがなくなる。
【０２１０】
消費者等は、切り取り部４ｂを切り取って折り畳みラベル１６１を展開し表示内容を見た後は、例えば、図５７に示すように、折り畳みラベル１６１をボトル１０１に巻き付け、輪ゴム等２００によりその状態を保持する。このとき、帯状の切り取り部４ｂを切り取った後には、切り取り部４ｂが付着していた領域Ｒ１において、ボトル１０１が外部に露出する。よって、ボトル１０１が透明又は半透明であれば、その内容物の残量を容易に確認することができ、非常に便利である。
【０２１１】
なお、本実施の形態による折り畳みラベル１６１は、必ずしも、ボトル１０１等の物品に１周よりも多く巻き付ける必要はない。例えば、図１１の場合と同様に、折り畳みラベル１６１の図５２中の下面側の全体に接着剤１０を塗布し、角底袋などの袋１００に付着してもよい。この点は、後述する各実施の形態についても同様である。
【０２１２】
［第１７の実施の形態］
図５８は、本発明の第１７の実施の形態による折り畳みラベル１７１を示す概略斜視図であり、図５１に対応している。図５９は、図５８中のＴ−Ｔ’線に沿った概略断面図である。図６０は、図５８中のＵ−Ｕ’線に沿った概略断面図である。図５８乃至図６０において、図５１乃至図５４中の要素と同一又は対応する要素には同一符号を付し、その重複する説明は省略する。
【０２１３】
本実施の形態による折り畳みラベル１７１が、前記第１６の実施の形態による折り畳みラベル１６１と異なる所は、ミシン目６ｂがシート片５と重なる位置に形成され、帯状の切り取り部４ｂがはみ出し部分４ａの一部のみならず、シート片４におけるはみ出し部分４ａ以外の部分も含んでいる点のみである。
【０２１４】
本実施の形態によっても、前記第１６の実施の形態と同様の利点が得られる。
【０２１５】
［第１８の実施の形態］
図６１は、本発明の第１８の実施の形態による折り畳みラベル１８１を示す概略斜視図であり、図３８に対応している。図６２は、図６１中のＶ−Ｖ’線に沿った概略断面図である。図６３は、図６１中のＷ−Ｗ’線に沿った概略断面図である。図６４は、本実施の形態による折り畳みラベル１８１を付着したボトル１０１を示す概略横断面図であり、図５６に対応している。図６１乃至図６３において、図３８乃至図４０中の要素と同一又は対応する要素には同一符号を付し、その重複する説明は省略する。
【０２１６】
本実施の形態による折り畳みラベル１８１が、図３８乃至図４０に示す折り畳みラベル１４１と異なる所は、次の２つの相違点のみである。第１に、本実施の形態では、第１のシート片１４５を第１の折り曲げ線１４３の側とその反対側とに分断するためのミシン目１４８ａ，１４８ｂが、第１のシート片１４５のはみ出し部分１４５ａに形成されている。これにより、ミシン目１４８ａ，１４８ｂが画成する帯状の切り取り部１４５ｂは、はみ出し部分１４５ａの一部のみを含んだものとなっている。第２に、本実施の形態では、切り取り部１４５ｂの下面側に、切り取り部１４５ｂの付近において剥離剤１８２が形成されている。剥離剤１８２は、第１のシート片１４５のはみ出し部分１４５ａの端部（折り曲げ線１４３と反対側の端部）に沿った領域には、形成されていない。
【０２１７】
本例では、図６４からわかるように、折り畳みラベル１８１の図６２中の左右方向の寸法は、ボトル１０１の外周面の１周分よりも長く設定されている。また、図６２中の左右方向の折り曲げ線１４３からミシン目１４８ａまでの長さは、ほぼボトル１０１の外周面の１周分に設定されている。
【０２１８】
本例では、折り畳みラベル１８１の図６２中の上面側を外側とするとともに、折り曲げ線１４３を巻き付け開始端部として、ボトル１０１の胴部の外周面に１周よりも多く巻き付けられている。折り畳みラベル１８１の図６２中の下面側の全体に接着剤１０が設けられ、折り畳みラベル１８１の図６２中の下面側の全体がそれぞれ対面する箇所に接着されている。
【０２１９】
本実施の形態のように折り畳みラベル１８１をボトル１０１に接着するには、基本的に、図７又は図９に示すラベル貼り付け装置を用いることができる。ただし、搬送機２６は、ボトル１０１に合わせて適宜変更される。
【０２２０】
本実施の形態によっても、前記第１６の態様と同様の利点が得られる。
【０２２１】
ここで、本発明において用いることができるミシン目のパターンの例について、図６５を参照して説明する。図６５（ａ）は、図１で採用されているミシン目６ａ，６ｂのパターン例を示す一部拡大平面図である。図６５（ｂ）は、ミシン目６ａ，６ｂの他のパターン例を示す一部拡大平面図である。ミシン目は、切断可能に切れ目が断続したパターンを意味しており、必ずしも図６５（ａ）に示すような単純な点線状のパターンに限定されるものではなく、例えば図６５（ｂ）に示すようなパターンを採用してもよい。
【０２２２】
［第１９の実施の形態］
図６６は、本発明の第１９の実施の形態による折り畳みラベル３０１を示す概略斜視図であり、図１に対応している。図６７は、図６６中のＹ１−Ｙ１’線に沿った概略断面図である。図６６中のＸ１−Ｘ１’線に沿った概略断面図は、図２と同じである。図６６及び図６７において、図１中の要素と同一又は対応する要素には同一符号を付し、その重複する説明は省略する。
【０２２３】
本実施の形態による折り畳みラベル３０１が、図１乃至図４に示す折り畳みラベル１と異なる所は、第２のシート片５に孔５ｃが形成される代わりに、第２のシート片５の幅（折り曲げ線３が延びる方向の長さ）が第１のシート片４の幅よりも短くされることで、折り畳みラベル３０１の下面側には、第２のシート片５の他に、第２のシート片５からの折り曲げ線３が延びる方向の一方側及び他方側にはみ出したはみ出し部分４ｄ，４ｅをなす第１のシート片４の一部が現れている点と、はみ出し部分４ｄ，４ｅの下面に剥離剤５０２が形成されている点のみである。
【０２２４】
両側にはみ出し部分４ｄ，４ｅが現れることが好ましいが、本発明では、一方側にのみはみ出し部分４ｄ又は４ｅが現れるようにしてもよい。また、本実施の形態では、はみ出し部分４ｄ，４ｅは、折り曲げ線３まで到達していないが、折り曲げ線３まで到達するようにしてもよい。これらの点は後述する各実施の形態について同様である。
【０２２５】
本実施の形態による折り畳みラベル３０１を、物品としての容器である角底袋などの袋１００に付着した状態を示す概略断面図は、図５と同じになる。この折り畳みラベル付き物品（折り畳みラベル３０１が付着された袋１００）は、前述した図５に示す折り畳みラベル付き物品と同様に製造することができる。
【０２２６】
本実施の形態によっても、前記第１の実施の形態と同様の利点が得られる。
【０２２７】
［第２０の実施の形態］
図６８は、本発明の第２０の実施の形態による折り畳みラベル３４１を示す概略斜視図であり、図１２に対応している。図６９は、図６８中のＹ２−Ｙ２’線に沿った概略断面図である。図６８中のＸ２−Ｘ２’線に沿った概略断面図は、図１３と同じである。図６８及び図６９において、図１２中の要素と同一又は対応する要素には同一符号を付し、その重複する説明は省略する。
【０２２８】
本実施の形態による折り畳みラベル３４１が、図１２乃至図１４に示す折り畳みラベル４１と異なる所は、第２のシート片４６及び第３のシート片４７に孔４６ｃ，４７ｃが形成される代わりに、第２のシート片４６及び第３のシート片４７の幅（折り曲げ線４３，４４が延びる方向の長さ）が第１のシート片４５の幅よりも短くされることで、折り畳みラベル３４１の下面側には、第２のシート片４６の他に、第２のシート片４６からの折り曲げ線４３，４４が延びる方向の一方側及び他方側にはみ出したはみ出し部分４５ｄ，４５ｅをなす第１のシート片４５の一部が現れている点と、はみ出し部分４５ｄ，４５ｅの下面に剥離剤５０２が形成されている点のみである。
【０２２９】
本実施の形態による折り畳みラベル３４１を、物品としての容器である角底袋などの袋１００に付着した状態を示す概略断面図は、図１５と同じになる。この折り畳みラベル付き物品（折り畳みラベル３４１が付着された袋１００）は、前述した図１５に示す折り畳みラベル付き物品と同様に製造することができる。
【０２３０】
本実施の形態によっても、前記第３の実施の形態と同様の利点が得られる。
【０２３１】
［第２１の実施の形態］
図７０は、本発明の第２１の実施の形態による折り畳みラベル３６１を示す概略斜視図であり、図１８に対応している。図７１は、図７０中のＹ３−Ｙ３’線に沿った概略断面図である。図７０中のＸ３−Ｘ３’線に沿った概略断面図は、図１９と同じである。図６８において、図１８中の要素と同一又は対応する要素には同一符号を付し、その重複する説明は省略する。
【０２３２】
本実施の形態による折り畳みラベル３６１が、図１８乃至図２０に示す折り畳みラベル６１と異なる所は、シート片６７，６８，６９に孔６７ｃ，６８ｃ，６９ｃが形成される代わりに、シート片６７，６８，６９の幅（折り曲げ線６３〜６５が延びる方向の長さ）が第１のシート片６６の幅よりも短くされることで、折り畳みラベル３６１の下面側には、第２のシート片６７の他に、第２のシート片６７からの折り曲げ線６３〜６５が延びる方向の一方側及び他方側にはみ出したはみ出し部分６６ｄ，６６ｅをなす第１のシート片６６の一部が現れている点と、はみ出し部分６６ｄ，６６ｅの下面に剥離剤５０２が形成されている点のみである。
【０２３３】
本実施の形態による折り畳みラベル３６１を、物品としての容器である角底袋などの袋１００に付着した状態を示す概略断面図は、図２１と同じになる。この折り畳みラベル付き物品（折り畳みラベル３６１が付着された袋１００）は、前述した図２１に示す折り畳みラベル付き物品と同様に製造することができる。
【０２３４】
本実施の形態によっても、前記第５の実施の形態と同様の利点が得られる。
【０２３５】
［第２２の実施の形態］
図７２は、本発明の第２２の実施の形態による折り畳みラベル３８１を示す概略斜視図であり、図２４に対応している。図７３は、図７２中のＹ４−Ｙ４’線に沿った概略断面図である。図７２中のＸ４−Ｘ４’線に沿った概略断面図は、図２５と同じである。図７２及び図７３において、図２４中の要素と同一又は対応する要素には同一符号を付し、その重複する説明は省略する。
【０２３６】
本実施の形態による折り畳みラベル３８１が、図２４乃至図２７に示す折り畳みラベル８１と異なる所は、第２のシート片５に孔５ｃが形成される代わりに、第２のシート片５の幅（折り曲げ線３が延びる方向の長さ）が第１のシート片４の幅よりも短くされることで、折り畳みラベル３８１の下面側には、第２のシート片５の他に、第２のシート片５からの折り曲げ線３が延びる方向の一方側及び他方側にはみ出したはみ出し部分４ｄ，４ｅをなす第１のシート片４の一部が現れている点と、はみ出し部分４ｄ，４ｅの下面に剥離剤５０２が形成されている点のみである。
【０２３７】
本実施の形態による折り畳みラベル３８１を、物品としての容器である角底袋などの袋１００に付着した状態を示す概略断面図は、図２８と同じになる。この折り畳みラベル付き物品（折り畳みラベル３８１が付着された袋１００）は、前述した図２８に示す折り畳みラベル付き物品と同様に製造することができる。
【０２３８】
本実施の形態によっても、前記第７の実施の形態と同様の利点が得られる。
【０２３９】
［第２３の実施の形態］
図７４は、本発明の第２３の実施の形態による折り畳みラベル３９１を示す概略斜視図であり、図３０に対応している。図７５は、図７４中のＹ５−Ｙ５’線に沿った概略断面図である。図７４中のＸ５−Ｘ５’線に沿った概略断面図は、図３１と同じである。図７４及び図７５において、図３０中の要素と同一又は対応する要素には同一符号を付し、その重複する説明は省略する。
【０２４０】
本実施の形態による折り畳みラベル３９１が、図３０乃至図３２に示す折り畳みラベル９１と異なる所は、シート片４６，４７に孔４６ｃ，４７ｃが形成される代わりに、シート片４６，４７の幅（折り曲げ線４３，４４が延びる方向の長さ）が第１のシート片４５の幅よりも短くされることで、折り畳みラベル３９１の下面側には、第２のシート片４６の他に、第２のシート片４６からの折り曲げ線４３，４４が延びる方向の一方側及び他方側にはみ出したはみ出し部分４５ｄ，４５ｅをなす第１のシート片４５の一部が現れている点と、はみ出し部分４５ｄ，４５ｅの下面に剥離剤５０２が形成されている点のみである。
【０２４１】
本実施の形態による折り畳みラベル３９１を、物品としての容器である角底袋などの袋１００に付着した状態を示す概略断面図は、図３３と同じになる。この折り畳みラベル付き物品（折り畳みラベル３９１が付着された袋１００）は、前述した図３３に示す折り畳みラベル付き物品と同様に製造することができる。
【０２４２】
本実施の形態によっても、前記第８の実施の形態と同様の利点が得られる。
【０２４３】
［第２４の実施の形態］
図７６は、本発明の第２４の実施の形態による折り畳みラベル４１１を示す概略斜視図であり、図３４に対応している。図７７は、図７６中のＹ６−Ｙ６’線に沿った概略断面図である。図７６中のＸ６−Ｘ６’線に沿った概略断面図は、図３５と同じである。図７６及び図７７において、図３４中の要素と同一又は対応する要素には同一符号を付し、その重複する説明は省略する。
【０２４４】
本実施の形態による折り畳みラベル４１１が、図３４乃至図３６に示す折り畳みラベル１１１と異なる所は、シート片６７，６８，６９に孔６７ｃ，６８ｃ，６９ｃが形成される代わりに、シート片６７，６８，６９の幅（折り曲げ線６３〜６５が延びる方向の長さ）が第１のシート片６６の幅よりも短くされることで、折り畳みラベル４１１の下面側には、第２のシート片６７の他に、第２のシート片６７からの折り曲げ線６３〜６５が延びる方向の一方側及び他方側にはみ出したはみ出し部分６６ｄ，６６ｅをなす第１のシート片６６の一部が現れている点と、はみ出し部分６６ｄ，６６ｅの下面に剥離剤５０２が形成されている点のみである。
【０２４５】
本実施の形態による折り畳みラベル４１１を、物品としての容器である角底袋などの袋１００に付着した状態を示す概略断面図は、図３７と同じになる。この折り畳みラベル付き物品（折り畳みラベル４１１が付着された袋１００）は、前述した図３７に示す折り畳みラベル付き物品と同様に製造することができる。
【０２４６】
本実施の形態によっても、前記第９の実施の形態と同様の利点が得られる。
【０２４７】
［第２５の実施の形態］
図７８は、本発明の第２５の実施の形態による折り畳みラベル４４１を示す概略斜視図であり、図３８に対応している。図７９は、図７８中のＹ７−Ｙ７’線に沿った概略断面図である。図７８中のＸ７−Ｘ７’線に沿った概略断面図は、図３９と同じである。図７８及び図７９において、図３８中の要素と同一又は対応する要素には同一符号を付し、その重複する説明は省略する。
【０２４８】
本実施の形態による折り畳みラベル４４１が、図３８乃至図４０に示す折り畳みラベル１４１と異なる所は、シート片１４６，１４７に孔１４６ｃ，１４７ｃが形成される代わりに、シート片１４６，１４７の幅（折り曲げ線１４３，１４４が延びる方向の長さ）が第１のシート片１４５の幅よりも短くされることで、折り畳みラベル４４１の下面側には、第２のシート片１４６の他に、第２のシート片１４６からの折り曲げ線１４３，１４４が延びる方向の一方側及び他方側にはみ出したはみ出し部分１４５ｄ，１４５ｅをなす第１のシート片１４５の一部が現れている点と、はみ出し部分１４５ｄ，１４５ｅの下面に剥離剤５０２が形成されている点のみである。
【０２４９】
本実施の形態による折り畳みラベル４４１を、物品としての容器である角底袋などの袋１００に付着した状態を示す概略断面図は、図４１と同じになる。この折り畳みラベル付き物品（折り畳みラベル４４１が付着された袋１００）は、前述した図４１に示す折り畳みラベル付き物品と同様に製造することができる。
【０２５０】
本実施の形態によっても、前記第１０の実施の形態と同様の利点が得られる。
【０２５１】
［第２６の実施の形態］
図８０は、本発明の第２６の実施の形態による折り畳みラベル４５１を示す概略斜視図であり、図４２に対応している。図８１は、図８０中のＹ８−Ｙ８’線に沿った概略断面図である。図８０中のＸ８−Ｘ８’線に沿った概略断面図は、図４３と同じである。図８０及び図８１において、図４２中の要素と同一又は対応する要素には同一符号を付し、その重複する説明は省略する。
【０２５２】
本実施の形態による折り畳みラベル４５１が、図４２乃至図４４に示す折り畳みラベル１４１と異なる所は、シート片１４６，１４７に孔１４６ｃ，１４７ｃが形成される代わりに、シート片１４６，１４７の幅（折り曲げ線１４３，１４４が延びる方向の長さ）が第１のシート片１４５の幅よりも短くされることで、折り畳みラベル４５１の下面側には、第２のシート片１４６の他に、第２のシート片１４６からの折り曲げ線１４３，１４４が延びる方向の一方側及び他方側にはみ出したはみ出し部分１４５ｄ，１４５ｅをなす第１のシート片１４５の一部が現れている点と、はみ出し部分１４５ｄ，１４５ｅの下面に剥離剤５０２が形成されている点のみである。
【０２５３】
本実施の形態による折り畳みラベル４５１を、物品としての容器である角底袋などの袋１００に付着した状態を示す概略断面図は、図４５と同じになる。この折り畳みラベル付き物品（折り畳みラベル４４１が付着された袋１００）は、前述した図４５に示す折り畳みラベル付き物品と同様に製造することができる。
【０２５４】
本実施の形態によっても、前記第１１の実施の形態と同様の利点が得られる。
【０２５５】
［第２７の実施の形態］
図８２は、本発明の第２７の実施の形態による折り畳みラベル４６１を示す概略斜視図であり、図５１に対応している。図８３は、図８２中のＹ９−Ｙ９’線に沿った概略断面図である。図８２中のＸ９−Ｘ９’線に沿った概略断面図は、図５２と同じである。図８２及び図８３において、図５１中の要素と同一又は対応する要素には同一符号を付し、その重複する説明は省略する。
【０２５６】
本実施の形態による折り畳みラベル４６１が、図５１乃至図５４に示す折り畳みラベル１６１と異なる所は、第２のシート片５に孔５ｃが形成される代わりに、第２のシート片５の幅（折り曲げ線３が延びる方向の長さ）が第１のシート片４の幅よりも短くされることで、折り畳みラベル４６１の下面側には、第２のシート片５の他に、第２のシート片５からの折り曲げ線３が延びる方向の一方側及び他方側にはみ出したはみ出し部分４ｄ，４ｅをなす第１のシート片４の一部が現れている点と、はみ出し部分４ｄ，４ｅの下面に剥離剤５０２が形成されている点のみである。
【０２５７】
本実施の形態による折り畳みラベル４６１を物品に付着した折り畳みラベル付き物品は、前述した図５１乃至図５４に示す折り畳みラベル１６１を用いた折り畳みラベル付き物品と同様に製造することができる。
【０２５８】
本実施の形態によっても、前記第１６の実施の形態と同様の利点が得られる。
【０２５９】
［第２８の実施の形態］
図８４は、本発明の第２８の実施の形態による折り畳みラベル４７１を示す概略斜視図であり、図５８に対応している。図８５は、図８４中のＹ１０−Ｙ１０’線に沿った概略断面図である。図８４中のＸ１０−Ｘ１０’線に沿った概略断面図は、図５９と同じである。図８４及び図８５において、図５８中の要素と同一又は対応する要素には同一符号を付し、その重複する説明は省略する。
【０２６０】
本実施の形態による折り畳みラベル４７１が、図５８乃至図６０に示す折り畳みラベル１７１と異なる所は、第２のシート片５に孔５ｃが形成される代わりに、第２のシート片５の幅（折り曲げ線３が延びる方向の長さ）が第１のシート片５の幅よりも短くされることで、折り畳みラベル４７１の下面側には、第２のシート片５の他に、第２のシート片５からの折り曲げ線３が延びる方向の一方側及び他方側にはみ出したはみ出し部分４ｄ，４ｅをなす第１のシート片４の一部が現れている点と、はみ出し部分４ｄ，４ｅの下面に剥離剤５０２が形成されている点のみである。
【０２６１】
本実施の形態による折り畳みラベル４７１を物品に付着した折り畳みラベル付き物品は、前述した図５８乃至図６０に示す折り畳みラベル１７１を用いた折り畳みラベル付き物品と同様に製造することができる。
【０２６２】
本実施の形態によっても、前記第１７の実施の形態と同様の利点が得られる。
【０２６３】
［第２９の実施の形態］
図８６は、本発明の第２９の実施の形態による折り畳みラベル４８１を示す概略斜視図であり、図６１に対応している。図８７は、図８６中のＹ１１−Ｙ１１’線に沿った概略断面図である。図８６中のＸ１１−Ｘ１１’線に沿った概略断面図は、図６２と同じである。図８６及び図８７において、図６１中の要素と同一又は対応する要素には同一符号を付し、その重複する説明は省略する。
【０２６４】
本実施の形態による折り畳みラベル４８１が、図６１乃至図６３に示す折り畳みラベル１８１と異なる所は、シート片１４６，１４７に孔１４６ｃ，１４７ｃが形成される代わりに、シート片１４６，１４７の幅（折り曲げ線１４３，１４４が延びる方向の長さ）が第１のシート片１４５の幅よりも短くされることで、折り畳みラベル４５１の下面側には、第２のシート片１４６の他に、第２のシート片１４６からの折り曲げ線１４３，１４４が延びる方向の一方側及び他方側にはみ出したはみ出し部分１４５ｄ，１４５ｅをなす第１のシート片１４５の一部が現れている点と、はみ出し部分１４５ｄ，１４５ｅの下面に剥離剤５０２が形成されている点のみである。
【０２６５】
本実施の形態による折り畳みラベル４８１を物品に付着した折り畳みラベル付き物品は、前述した図６１乃至図６３に示す折り畳みラベル１８１を用いた折り畳みラベル付き物品と同様に製造することができる。
【０２６６】
本実施の形態によっても、前記第１８の実施の形態と同様の利点が得られる。
【０２６７】
以上、本発明の各実施の形態について説明したが、本発明はこれらの実施の形態に限定されるものではない。例えば、シート片の数は５つ以上であってもよい。
【符号の説明】
【０２６８】
１，４１，５１，６１，７１，８１，９１，１１１，１４１，１５１，１６１，１７１，１８１  折り畳みラベル
２，４２，６２，１４２  シート
３，４３，４４，６３，６４，６５，１４３，１４４  折り曲げ線
４，５，４５，４６，４７，６６，６７，６８，６９，１４５，１４６，１４７  シート片
４ａ，４７ａ，６８ａ，１４５ａ  はみ出し部分
４ｄ，４ｅ，４５ｄ，４５ｅ，６６ｄ，６６ｅ，１４５ｄ，１４５ｅ  はみ出し部分
６ａ，６ｂ，４８ａ，４８ｂ，７０ａ，７０ｂ，１４８ａ，１４８ｂ  ミシン目
５ｃ，４６ｃ，４７ｃ，６７ｃ，６８ｃ，６９ｃ，１４６ｃ，１４７ｃ  孔
５０１，５０２  剥離剤
【図１】
0005514383.tif 000002
【図２】
0005514383.tif 000003
【図３】
0005514383.tif 000004
【図４】
0005514383.tif 000005
【図５】
0005514383.tif 000006
【図６】
0005514383.tif 000007
【図７】
0005514383.tif 000008
【図８】
0005514383.tif 000009
【図９】
0005514383.tif 000010
【図１０】
0005514383.tif 000011
【図１１】
0005514383.tif 000012
【図１２】
0005514383.tif 000013
【図１３】
0005514383.tif 000014
【図１４】
0005514383.tif 000015
【図１５】
0005514383.tif 000016
【図１６】
0005514383.tif 000017
【図１７】
0005514383.tif 000018
【図１８】
0005514383.tif 000019
【図１９】
0005514383.tif 000020
【図２０】
0005514383.tif 000021
【図２１】
0005514383.tif 000022
【図２２】
0005514383.tif 000023
【図２３】
0005514383.tif 000024
【図２４】
0005514383.tif 000025
【図２５】
0005514383.tif 000026
【図２６】
0005514383.tif 000027
【図２７】
0005514383.tif 000028
【図２８】
0005514383.tif 000029
【図２９】
0005514383.tif 000030
【図３０】
0005514383.tif 000031
【図３１】
0005514383.tif 000032
【図３２】
0005514383.tif 000033
【図３３】
0005514383.tif 000034
【図３４】
0005514383.tif 000035
【図３５】
0005514383.tif 000036
【図３６】
0005514383.tif 000037
【図３７】
0005514383.tif 000038
【図３８】
0005514383.tif 000039
【図３９】
0005514383.tif 000040
【図４０】
0005514383.tif 000041
【図４１】
0005514383.tif 000042
【図４２】
0005514383.tif 000043
【図４３】
0005514383.tif 000044
【図４４】
0005514383.tif 000045
【図４５】
0005514383.tif 000046
【図４６】
0005514383.tif 000047
【図４７】
0005514383.tif 000048
【図４８】
0005514383.tif 000049
【図４９】
0005514383.tif 000050
【図５０】
0005514383.tif 000051
【図５１】
0005514383.tif 000052
【図５２】
0005514383.tif 000053
【図５３】
0005514383.tif 000054
【図５４】
0005514383.tif 000055
【図５５】
0005514383.tif 000056
【図５６】
0005514383.tif 000057
【図５７】
0005514383.tif 000058
【図５８】
0005514383.tif 000059
【図５９】
0005514383.tif 000060
【図６０】
0005514383.tif 000061
【図６１】
0005514383.tif 000062
【図６２】
0005514383.tif 000063
【図６３】
0005514383.tif 000064
【図６４】
0005514383.tif 000065
【図６５】
0005514383.tif 000066
【図６６】
0005514383.tif 000067
【図６７】
0005514383.tif 000068
【図６８】
0005514383.tif 000069
【図６９】
0005514383.tif 000070
【図７０】
0005514383.tif 000071
【図７１】
0005514383.tif 000072
【図７２】
0005514383.tif 000073
【図７３】
0005514383.tif 000074
【図７４】
0005514383.tif 000075
【図７５】
0005514383.tif 000076
【図７６】
0005514383.tif 000077
【図７７】
0005514383.tif 000078
【図７８】
0005514383.tif 000079
【図７９】
0005514383.tif 000080
【図８０】
0005514383.tif 000081
【図８１】
0005514383.tif 000082
【図８２】
0005514383.tif 000083
【図８３】
0005514383.tif 000084
【図８４】
0005514383.tif 000085
【図８５】
0005514383.tif 000086
【図８６】
0005514383.tif 000087
【図８７】
0005514383.tif 000088